(57)【要約】  本開示のシステム、装置、及び方法は、外科的手順中に、チューブ及びホースの管理を支援する。システム、装置、及び方法は、適切なチューブの開閉を提供して、外科的手順の工程の遂行を容易にする。本開示のシステム、装置、及び方法は、組織を処理及び洗浄するための装置を含む医療用装置への及び当該装置からの流体送達を制御する。【選択図】図１２Ａ
2019526342.tif 000002
【特許請求の範囲】
【請求項１】
組織処置システムであって、
容器であって、
組織を保持するための内部容積を取り囲む外壁と、
組織を処理するためのフィルタリング構造体と、を含む、容器を備える、組織処置システム。
【請求項２】
前記フィルタリング構造体が、１つ以上のウインドウを画定するフレーム部材と、１つ以上のフィルタとを含む、請求項１に記載の組織処置システム。
【請求項３】
前記１つ以上のウインドウのそれぞれが、前記フィルタのうちの１つをその中に含む、請求項２に記載の組織処置システム。
【請求項４】
各フィルタが、その対応するウインドウの外周においてヒートシールされる、請求項２又は３に記載の組織処置システム。
【請求項５】
各フィルタが、その対応するウインドウの外周において接着される、請求項２又は３に記載の組織処置システム。
【請求項６】
前記フレーム部材が、１つ以上のボス特徴を含み、前記１つ以上のフィルタが、前記１つ以上のボス特徴に係合するためのカットスルー孔を含む、請求項２〜５のいずれか一項に記載の組織処置システム。
【請求項７】
前記フィルタリング構造体が、折り畳み可能なメッシュを含む、請求項１に記載の組織処置システム。
【請求項８】
組織の洗浄又は処置を容易にするために、少なくとも１つの混合ブレードを更に備える、請求項１〜７のいずれか一項に記載の組織処置システム。
【請求項９】
少なくとも１つの混合ブレードと係合したシャフトを更に備える、請求項８に記載の組織処置システム。
【請求項１０】
前記シャフトが、前記シャフトを通した組織摘出を可能にするために中空である、請求項９に記載の組織処置システム。
【請求項１１】
前記内部容積と流体連通する抽出ポートを更に備える、請求項１〜１０のいずれか一項に記載の組織処置システム。
【請求項１２】
複数のポートを更に備え、各ポートが前記内部容積と流体連通する、請求項１〜１１のいずれか一項に記載の組織処置システム。
【請求項１３】
前記組織処置システムが、医学的に無菌である、請求項１〜１２のいずれか一項に記載の組織処置システム。
【請求項１４】
前記容器が、分割壁によって分割された第１のチャンバ及び第２のチャンバを含む、請求項１〜１３のいずれか一項に記載の組織処置システム。
【請求項１５】
前記分割壁が、前記フィルタリング構造体によって少なくとも部分的に画定される、請求項１４に記載の組織処置システム。
【請求項１６】
前記フィルタリング構造体が、前記容器内で第１のチャンバ及び第２のチャンバを画定する側壁の一部分を画定する、請求項１〜１５のいずれか一項に記載の組織処置システム。
【請求項１７】
取り付け特徴を更に備える、請求項１〜１５のいずれか一項に記載の組織処置システム。
【請求項１８】
前記取り付け特徴が、ループ、クリップ、又はクランプを含む、請求項１７に記載の組織処置システム。
【請求項１９】
位置の間で切り換えたときに、前記システムの少なくとも１つのポートを通る流れを可能にする、又は阻止するマルチポジションスイッチを更に備える、請求項１〜１５のいずれか一項に記載の組織処置システム。
【請求項２０】
混合ブレード又はパドルを含む混合シャフトを回転させるために、タービンを更に備える、請求項１〜１９のいずれか一項に記載の組織処置システム。
【請求項２１】
前記タービンが、吸気口及び排気口を有し、また、前記排気口への負圧の印加に応じて回転する、請求項２０に記載の組織処置システム。
【請求項２２】
前記システムの前記内部容積内に存在する組織の質量を示すために、ばね及び針ゲージを更に備える、請求項１〜２１のいずれか一項に記載の組織処置システム。
【請求項２３】
前記フィルタリング構造体を前記システムの上部剛性リングにピン留めするために、エラストマーＯリングを更に備える、請求項１〜２２のいずれか一項に記載の組織処置システム。
【請求項２４】
前記フィルタリング構造体が、折り畳まれ、縁部に沿って密閉される単一の材料片で形成される、請求項１〜２３のいずれか一項に記載の組織処置システム。
【請求項２５】
第１の軸方向位置に少なくとも１つのブレードを有し、前記第１の軸方向位置とは異なる第２の軸方向位置に少なくとも１つのブレードを有する入れ子式混合パドルを更に備える、請求項１〜２４のいずれか一項に記載の組織処置システム。
【請求項２６】
異なる軸方向位置における前記ブレードが、互いに対して回転することができる、請求項２５に記載の組織処置システム。
【請求項２７】
前記入れ子式混合パドルが、ピストン形態に変換可能である、請求項２５に記載の組織処置システム。
【請求項２８】
回転可能な固体部分によって閉鎖可能である開口部分を有する円板部分を含む中央シャフトを更に備える、請求項１〜２７のいずれか一項に記載の組織処置システム。
【請求項２９】
少なくとも１つの混合ブレード及びオーガを有する中央シャフトを含む混合及びオーガシステムを更に備える、請求項１〜２８のいずれか一項に記載の組織処置システム。
【請求項３０】
少なくとも１つの混合ブレードを自動的に回転させるために、モータ付きシステムを更に備える、請求項１〜２９のいずれか一項に記載の組織処置システム。
【請求項３１】
前記モータ付きシステムが、バッテリ給電式モータを含む、請求項３０に記載の組織処置システム。
【請求項３２】
前記モータ付きシステムが、ばね付勢巻き上げ機構を含む、請求項３０に記載の組織処置システム。
【請求項３３】
通気ポートを更に備える、請求項１〜３２のいずれか一項に記載の組織処置システム。
【請求項３４】
幅広の基部を更に備える、請求項１〜３３のいずれか一項に記載の組織処置システム。
【請求項３５】
前記システムの幅が、前記システムの高さよりも少なくとも２倍広い、請求項３４に記載の組織処置システム。
【請求項３６】
前記システムの幅が、前記システムの高さよりも少なくとも３倍広い、請求項３４に記載の組織処置システム。
【請求項３７】
複数のチューブが、前記幅広の基部の少なくとも一部分を通過する、請求項３４に記載の組織処置システム。
【請求項３８】
前記容器に予め取り付けられた無菌ドレープを更に備える、請求項１〜３７のいずれか一項に記載の組織処置システム。
【請求項３９】
前記無菌ドレープが、表面の下側に接着するために、接着剤要素を含む、請求項３８に記載の組織処置システム。
【請求項４０】
容器が挿入され、回転ハンドル機構及び頂部カバーを含む、基部ユニットを更に備える、請求項１〜３９のいずれか一項に記載の組織処置システム。
【請求項４１】
前記マルチポジションスイッチの位置をラベル表示するために、注釈を更に備える、請求項１〜４０のいずれか一項に記載の組織処置システム。
【請求項４２】
組織処理手順の現在の工程に関する情報を提供するために、インジケータスイッチを更に備える、請求項１〜４１のいずれか一項に記載の組織処置システム。
【請求項４３】
複数の孔を含む内蓋、及び複数のポート含む外蓋を更に備え、前記内蓋が、前記外蓋に対して回転可能である、請求項１〜４２のいずれか一項に記載の組織処置システム。
【請求項４４】
複数のチューブ制限装置を更に備える、請求項１〜４３のいずれか一項に記載の組織処置システム。
【請求項４５】
前記複数のチューブ制限装置が、押し下げボタンを備える、請求項４４に記載の組織処置システム。
【請求項４６】
前記複数のチューブ制限装置が、スナップダウンパネルを備える、請求項４４に記載の組織処置システム。
【請求項４７】
扁平な幾何学的形状を有する把持部分を含む回転ハンドルを更に備える、請求項１〜４６のいずれか一項に記載の組織処置システム。
【請求項４８】
回転ハンドルの下側に隆起プラットフォームを更に備える、請求項１〜４７のいずれか一項に記載の組織処置システム。
【請求項４９】
前記容器に取り付けられた少なくとも１つの支持ハンドルを更に備える、請求項１〜４８のいずれか一項に記載の組織処置システム。
【請求項５０】
前記容器に取り付けられた３つの支持ハンドルを備える、請求項４９に記載の組織処置システム。
【請求項５１】
出荷中にシステムを緩衝するために、パッケージング材料を更に備える、請求項１〜５０のいずれか一項に記載の組織処置システム。
【請求項５２】
前記パッケージングが、使用中に前記システムの運動を安定させるように適合される、請求項５１に記載の組織処置システム。
【請求項５３】
永続的又一時的に表面に取り付け可能である載置システムを更に備える、請求項１〜５２のいずれか一項に記載の組織処置システム。
【請求項５４】
前記載置システムが、吸着カップを備える、請求項５３に記載の組織処置システム。
【請求項５５】
前記載置システムが、クリップと、前記容器の一部分と嵌合する凹部と、を備える、請求項５３に記載の組織処置システム。
【請求項５６】
流体バッグを貯蔵するための、前記容器に接続された基部を更に備える、請求項１〜５５のいずれか一項に記載の組織処置システム。
【請求項５７】
前記流体バッグの重量が、前記システムの安定性を向上させる、請求項５６に記載の組織処置システム。
【請求項５８】
前記流体バッグ内の前記流体を前記容器に搬送するために、バッグスパイクを更に備える、請求項５６に記載の組織処置システム。
【請求項５９】
洗浄サイクルカウンタを更に備える、請求項１〜５８のいずれか一項に記載の組織処置システム。
【請求項６０】
頂部プレートと、底部プレートと、複数のアームと、を更に備え、前記外壁が、前記頂部プレート及び底部プレートを接続し、また、折り畳み可能であり、
前記フィルタリング構造体が、折り畳み可能であり、
前記システムが折り畳まれていない状態である間、前記複数のアームが、分離した前記頂部プレート及び底部プレートを保持する、請求項１〜５９のいずれか一項に記載の組織処置システム。
【請求項６１】
前記外壁が、外側カバーであり、前記システムが、前記システムからの組織を拌、混合、又は抽出するために、手動で操作することができる、請求項１〜６０のいずれか一項に記載の組織処置システム。
【請求項６２】
複数のポートを取り囲む複数の可撓性チューブコネクタを更に備える、請求項１〜６１のいずれか一項に記載の組織処置システム。
【請求項６３】
第１の位置において回転可能であり、第２の位置において溝内に静置されるフリップアウトハンドルを更に備える、請求項１〜６２のいずれか一項に記載の組織処置システム。
【発明の詳細な説明】
【技術分野】
【０００１】
本出願は、２０１６年８月３０日に出願された米国仮特許出願第６２／３８１，１１８号に対する優先権を主張するものであり、参照によりその全体が本明細書に組み込まれる。
【０００２】
本出願は、組織を処理及び洗浄するための装置を含む医療用装置への及び当該装置からの流体送達を制御するためのシステム及び方法に関する。
【０００３】
いくつかの外科的手順は、患者と処置システム若しくは装置との間で、又はシステム及び装置の間で、流体、ガス、及び／又は組織製品を移送するために、チューブ、ホース、又は他の導管の使用を必要とする。いくつかの外科的手順は、入力及び出力ポートからホースの接続及び接続解除を必要とする多段階過程である。例えば、いくつかの脂肪組織移送システムを使用するために、外科要員は、１００を超えるユーザの動作及び判断の組み合わせを行う必要があり得る。これらのユーザの動作のうちのいくつかは、真空源を有効及び無効にすること、又は組織貯蔵及び処置容器に対して組織若しくは洗浄溶液を追加すること、若しくは取り出すことに関与する。
【０００４】
いくつかの外科的手順においてチューブ接続の状態を追跡することは、施術者の負担を生じさせる。チューブ接続を管理するために必要なユーザの手間は、無視できるものではなく、手順を行うための合計時間を増加させ得る。カラーコーディング等の組織的技術が存在するが、そうした技術は、手順の全体を通して多数の時点において各個々のチューブの状態を評価することが必要であるといった負担を取り除くことができない。
【０００５】
本発明の一実施形態において、組織処置システムは、容器と、流れ管理装置とを含む。容器は、組織を保持するための内部容積を取り囲む外壁を含む。容器は、組織を処理するためのフィルタ構造も含む。流れ管理装置は、そこを通過する複数の第１の開口部を有する第１のプレートを含む。流れ管理装置はまた、そこを通過する複数の第２の開口部を有する第２のプレートも含む。流れ管理装置はまた、そこを通過する１つ以上の第３の開口部を有する第３のプレートも含む。第１のプレート、第２のプレート、及び第３のプレートは、動作可能に接続される。第３のプレートを第１の位置に設定することは、複数の第１の開口部の第１のサブセットを複数の第２の開口部の第１のサブセットと流体連通した状態に配置する。第３のプレートを第２の位置に設定することは、複数の第１の開口部の第２のサブセットを複数の第２の開口部の第２のサブセットと流体連通した状態に配置する。第３のプレートを第３の位置に設定することは、複数の第１の開口部の第３のサブセットを複数の第２の開口部の第３のサブセットと流体連通した状態に配置する。
【０００６】
本発明の一実施形態において、流れ管理装置は、そこを通過する複数の第１の開口部を有する第１のプレートを含む。流れ管理装置はまた、そこを通過する複数の第２の開口部を有する第２のプレートも含む。流れ管理装置はまた、そこを通過する１つ以上の第３の開口部を有する第３のプレートも含む。第１のプレート、第２のプレート、及び第３のプレートは、動作可能に接続される。第３のプレートを第１の位置に設定することは、複数の第１の開口部の第１のサブセットを複数の第２の開口部の第１のサブセットと流体連通した状態に配置する。第３のプレートを第２の位置に設定することは、複数の第１の開口部の第２のサブセットを複数の第２の開口部の第２のサブセットと流体連通した状態に配置する。第３のプレートを第３の位置に設定することは、複数の第１の開口部の第３のサブセットを複数の第２の開口部の第３のサブセットと流体連通した状態に配置する。
【０００７】
本発明の一実施形態において、組織処置システムは、容器と、チューブ管理装置とを含む。容器は、組織を保持するための内部容積を取り囲む外壁と、組織を処理するためのフィルタ構造とを含む。チューブ管理装置は、複数のチューブ貫通孔を有するチューブ制限プレートと、複数のチューブ貫通孔を有するチューブ安定化プレートとを含む。複数の流れ制限装置は、複数のチューブ貫通孔に隣接してチューブ制限プレート上に配置される。チューブ管理装置は、マルチポジションスイッチを更に含む。複数のチューブがチューブ貫通孔を通過する。更に、マルチポジションスイッチを第１の位置に設定することは、複数の流れ制限装置に、複数のチューブの第１のサブセット内の流れを制限させて、患者からの組織を内部容積に移送し、マルチポジションスイッチを第２の位置に設定することは、複数の流れ制限装置に、複数のチューブの第２のサブセットの流れを制限させて、内部容積内の組織を処理することを可能にし、また、マルチポジションスイッチを第３の位置に設定することは、複数の流れ制限装置に、複数のチューブの第３のサブセットの流れを制限させて、内部容積からの組織の移送を可能にする。
【０００８】
本発明の一実施形態では、外科的導管を管理する方法を説明する。本方法は、複数のチューブ及び複数の流れ制限装置を装置本体内に提供することを含み、流れ制限装置のそれぞれは、複数のチューブの少なくとも１つの近位にある。本方法はまた、マルチポジションスイッチを提供することも含み、マルチポジションスイッチが第１の位置にあるときに、複数のチューブの第１のサブセット内の流れは、複数の流れ制限装置によって制限され、マルチポジションスイッチが第２の位置にあるときに、複数のチューブの第２のサブセット内の流れは、第１のサブセットとは異なる複数の流れ制限装置によって制限される。本方法はまた、マルチポジションスイッチの第１の位置からマルチポジションスイッチの第２の位置へ切り換えることも含む。
【０００９】
本発明の一実施形態において、チューブ管理装置は、複数のチューブ貫通孔を有するチューブ制限プレートと、複数のチューブ貫通孔を有するチューブ安定化プレートとを含む。複数の流れ制限装置は、複数のチューブ貫通孔に隣接してチューブ制限プレート上に配置される。チューブ管理装置はまた、マルチポジションスイッチ、及び複数のチューブ貫通孔を通過する複数のチューブも含む。チューブ管理装置のマルチポジションスイッチを第１の位置に設定することは、複数の流れ制限装置に、複数のチューブの第１のサブセット内の流れを制限させ、マルチポジションスイッチを第２の位置に設定することは、複数の流れ制限装置に、複数のチューブの第２のサブセット内の流れを制限させ、マルチポジションスイッチを第３の位置に設定することは、複数の流れ制限装置に、複数のチューブの第３のサブセット内の流れを制限させる。
【００１０】
本発明の一実施形態において、組織処置システムは、容器と、流れ管理装置とを含む。容器は、組織を保持するための内部容積を取り囲む外壁を含む。容器は、組織を処理するためのフィルタ構造も含む。流れ管理装置は、そこを通過する複数の第１の開口部を有する第１のプレートを含む。流れ管理装置はまた、そこを通過する複数の第２の開口部を有する第２のプレートも含む。第１のプレート及び第２のプレートは、動作可能に接続される。第１のプレートを第１の位置に設定することは、複数の第１の開口部の第１のサブセットを複数の第２の開口部の第１のサブセットと流体連通した状態に配置する。第１のプレートを第２の位置に設定することは、複数の第１の開口部の第２のサブセットを複数の第２の開口部の第２のサブセットと流体連通した状態に配置する。第１のプレートを第３の位置に設定することは、複数の第１の開口部の第３のサブセットを複数の第２の開口部の第３のサブセットと流体連通した状態に配置する。
【００１１】
本発明の一実施形態において、流れ管理装置は、そこを通過する複数の第１の開口部を有する第１のプレートを含む。流れ管理装置はまた、そこを通過する複数の第２の開口部を有する第２のプレートも含む。第１のプレート及び第２のプレートは、動作可能に接続される。第１のプレートを第１の位置に設定することは、複数の第１の開口部の第１のサブセットを複数の第２の開口部の第１のサブセットと流体連通した状態に配置する。第１のプレートを第２の位置に設定することは、複数の第１の開口部の第２のサブセットを複数の第２の開口部の第２のサブセットと流体連通した状態に配置する。第１のプレートを第３の位置に設定することは、複数の第１の開口部の第３のサブセットを複数の第２の開口部の第３のサブセットと流体連通した状態に配置する。
【００１２】
本発明の一実施形態において、流れ管理装置は、複数の第１の開口部及び複数の第２の開口部を含む、本体を含む。流れ管理装置はまた、マルチポジションスイッチも含む。流れ管理装置はまた、本体内にあり、マルチポジションスイッチに連結されたスピンドルも含み、当該スピンドルは、複数の第３の開口部を含む。マルチポジションスイッチを第１の位置に設定することは、複数の第３の開口部の第１のサブセットを介して、複数の第１の開口部の第１のサブセットを複数の第２の開口部の第１のサブセットと流体連通した状態に配置する。マルチポジションスイッチを第２の位置に設定することは、複数の第３の開口部の第２のサブセットを介して、複数の第１の開口部の第２のサブセットを複数の第２の開口部の第２のサブセットと流体連通した状態に配置する。マルチポジションスイッチを第３の位置に設定することは、複数の第３の開口部の第３のサブセットを介して、複数の第１の開口部の第３のサブセットを複数の第２の開口部の第３のサブセットと流体連通した状態に配置する。
【００１３】
本発明の一実施形態において、流れ管理装置は、複数のダイヤフラムユニットを含む。各ダイヤフラムユニットは、可撓性ダイヤフラムと、第１の開口部と、第２の開口部とを含む。ダイヤフラムユニットは、第１の開口部及び第２の開口部が流体連通する開位置と、第１の開口部及び第２の開口部が流体連通していない閉位置とを有する。流れ管理装置はまた、１つ以上の突起を含む回転プレートも含む。各突起は、ダイヤフラムユニットの可撓性ダイヤフラムを押圧して、ダイヤフラムユニットを閉位置に配置する。第１の位置に回転プレートを回転させることは、ダイヤフラムユニットの第１のサブセットを閉位置に配置する。第２の位置に回転プレートを回転させることは、ダイヤフラムユニットの第２のサブセットを閉位置に配置する。第３の位置に回転プレートを回転させることは、ダイヤフラムユニットの第３のサブセットを閉位置に配置する。
【００１４】
本発明の一実施形態において、組織処置装置は、容器を含む。容器は、組織を保持するための内部容積を取り囲む外壁と、組織を処理するためのフィルタ構造とを含む。
【００１５】
本発明の一実施形態において、組織処置システムは、容器と、流れ管理装置とを含む。容器は、組織を保持するための内部容積を取り囲む外壁と、組織を処理するためのフィルタ構造とを含む。流れ管理装置は、そこを通過する複数の第１の開口部を有する第１のバリア壁を含む。流れ管理装置は、そこを通過する複数の第２の開口部を有する第２のバリア壁を含む。流れ管理装置は、そこを通過する１つ以上の第３の開口部を有する第３のバリア壁を含む。第１のバリア壁、第２のバリア壁、及び第３のバリア壁は、動作可能に接続される。第３のバリア壁を第１の位置に設定することは、複数の第１の開口部の第１のサブセットを複数の第２の開口部の第１のサブセットと流体連通した状態に配置する。第３のバリア壁を第２の位置に設定することは、複数の第１の開口部の第２のサブセットを複数の第２の開口部の第２のサブセットと流体連通した状態に配置する。第３のバリア壁を第３の位置に設定することは、複数の第１の開口部の第３のサブセットを複数の第２の開口部の第３のサブセットと流体連通した状態に配置する。
【図面の簡単な説明】
【００１６】
【図１】様々な実施形態による組織処置システムを例示する。
【００１７】
【図２】様々な実施形態によるチューブ管理装置の分解図である。
【００１８】
【図３】本発明によるチューブ管理システムの構成要素であるチューブ制限プレート及びチューブ安定化プレートの１つの実施形態の上面図である。
【００１９】
【図４】様々な実施形態において説明される、例示的な組織移送システムにおいて様々なシステム入力の状態を判定するための判定マトリックスを例示する。
【００２０】
【図５】本発明による代替のチューブ管理装置の分解図である。
【００２１】
【図６】様々な実施形態による、図５に示されるチューブ管理装置の変形例を例示する。
【００２２】
【図７】図６に示される実施形態のチューブ管理装置のチューブ制限プレート及びチューブ安定化プレートの上面図である。
【００２３】
【図８】様々な実施形態によるチューブ管理装置を例示する。
【００２４】
【図９Ａ】本開示の様々な実施形態に従う、流れ管理装置を含む組織処理装置を例示する。
【００２５】
【図９Ｂ】本開示の様々な実施形態に従う、図９Ａの流れ管理装置の破断図を例示する。
【００２６】
【図９Ｃ】本開示のいくつかの実施形態に従う、図９Ｂに示される流れ管理装置の構成要素の部分図を例示する。
【００２７】
【図９Ｄ】本開示のいくつかの実施形態に従う、図９Ｂの流れ管理装置の側断面図を例示する。
【００２８】
【図１０Ａ】本開示の様々な実施形態に従う、流れ管理装置の一部分の断面図を例示する。
【図１０Ｂ】本開示の様々な実施形態に従う、流れ管理装置の一部分の断面図を例示する。
【００２９】
【図１１Ａ】本開示の様々な実施形態に従う、一体型流れ管理装置を含む組織処置システムの破断図を例示する。
【００３０】
【図１１Ｂ】図１１Ａの組織処置システムの分解図を例示する。
【００３１】
【図１２Ａ】本開示の様々な実施形態に従う、流れ管理装置サブアセンブリを含む組織処置システムの破断図を例示する。
【００３２】
【図１２Ｂ】図１２Ａの組織処置システムの分解図を例示する。
【００３３】
【図１３Ａ】本開示の様々な実施形態に従う、スピンドルを含む流れ管理装置を例示する。
【００３４】
【図１３Ｂ】図１３Ａに示される流れ管理装置の断面図を例示する。
【００３５】
【図１４Ａ】本開示の様々な実施形態に従う、開位置にあるダイヤフラム弁を含む流れ管理装置の断面図を例示する。
【００３６】
【図１４Ｂ】本開示の様々な実施形態に従う、閉位置にあるダイヤフラム弁を含む流れ管理装置の断面図を例示する。
【００３７】
【図１５Ａ】本開示の様々な実施形態に従う、タービンを含む組織処置システムを例示する。
【００３８】
【図１５Ｂ】本開示の様々な実施形態に従う、タービンと混合ブレードのための取り付け具との間の接続を示す、図１５Ａのシステムの一部分の拡大図を例示する。
【００３９】
【図１５Ｃ】本開示の様々な実施形態に従う、図１５Ａのシステムに組み込まれたタービンの破断図を例示する。
【００４０】
【図１５Ｄ】本開示の様々な実施形態に従う、歯車システムを通したタービンと混合シャフトとの係合を例示する。
【００４１】
【図１６】本開示の様々な実施形態に従う、容積測定装置を含む組織処置システムを例示する。
【００４２】
【図１７Ａ】本開示の様々な実施形態に従う、組織処置システムで使用するための様々なメッシュフィルタを例示する。
【図１７Ｂ】本開示の様々な実施形態に従う、組織処置システムで使用するための様々なメッシュフィルタを例示する。
【００４３】
【図１７Ｃ】本開示の様々な実施形態に従う、直線壁メッシュフィルタを例示する。
【００４４】
【図１８Ａ】本開示の様々な実施形態による、分解した、及び組み立てたフィルタリング構造体を例示する。
【図１８Ｂ】本開示の様々な実施形態による、分解した、及び組み立てたフィルタリング構造体を例示する。
【００４５】
【図１８Ｃ】フィルタリング構造体を含む組織処置システムを例示する。
【００４６】
【図１９Ａ】本開示の様々な実施形態に従う、組織処置システムで使用するための円錐メッシュフィルタの分解図を例示する。
【００４７】
【図１９Ｂ】本開示の様々な実施形態に従う、組織処置システムの図１９Ａのフィルタの配置を例示する。
【００４８】
【図１９Ｃ】本開示の様々な実施形態に従う、フィルタリング構造体の断面図を例示する。
【００４９】
【図１９Ｄ】本開示の様々な実施形態に従う、フィルタリング構造体のための予備成形体を例示する。
【００５０】
【図１９Ｅ】本開示の様々な実施形態によるフィルタリング構造体を例示する。
【００５１】
【図２０Ａ】本開示の様々な実施形態に従う、組織処置システムで使用するための入れ子式混合パドルの２つの構成を例示する。
【図２０Ｂ】本開示の様々な実施形態に従う、組織処置システムで使用するための入れ子式混合パドルの２つの構成を例示する。
【００５２】
【図２０Ｃ】様々な実施形態に従う、入れ子式混合パドルを有する組織処置システムを例示する。
【図２０Ｄ】様々な実施形態に従う、入れ子式混合パドルを有する組織処置システムを例示する。
【００５３】
【図２１Ａ】本開示の様々な実施形態による、組織処置システムで使用するための入れ子式混合パドルを例示する。
【図２１Ｂ】本開示の様々な実施形態による、組織処置システムで使用するための入れ子式混合パドルを例示する。
【図２１Ｃ】本開示の様々な実施形態による、組織処置システムで使用するための入れ子式混合パドルを例示する。
【図２１Ｄ】本開示の様々な実施形態による、組織処置システムで使用するための入れ子式混合パドルを例示する。
【００５４】
【図２２Ａ】本開示の様々な実施形態に従う、放出ピストンとして開閉することができる円板部分を有する混合装置を含む組織処置システムを例示する。
【図２２Ｂ】本開示の様々な実施形態に従う、放出ピストンとして開閉することができる円板部分を有する混合装置を含む組織処置システムを例示する。
【００５５】
【図２３】本開示の様々な実施形態に従う、組織摘出を容易にするための混合及びオーガシステムを有する組織処置システムを例示する。
【００５６】
【図２４Ａ】本開示の様々な実施形態に従う、組織処置システムにおける図２３の混合及びオーガシステムの斜視図及び上面図を例示する。
【図２４Ｂ】本開示の様々な実施形態に従う、組織処置システムにおける図２３の混合及びオーガシステムの斜視図及び上面図を例示する。
【００５７】
【図２５Ａ】本開示の様々な実施形態に従う、組織抽出を容易にするための混合及びオーガシステムの代替の実施形態を例示する。
【図２５Ｂ】本開示の様々な実施形態に従う、組織抽出を容易にするための混合及びオーガシステムの代替の実施形態を例示する。
【００５８】
【図２６Ａ】本開示の様々な実施形態に従う、モータ付き組織処置システムの代替の実施形態を例示する。
【図２６Ｂ】本開示の様々な実施形態に従う、モータ付き組織処置システムの代替の実施形態を例示する。
【００５９】
【図２７Ａ】本開示の様々な実施形態に従う、図２６Ｂに示される組織を攪拌するためのモータ付きシステムの透視図を例示する。
【００６０】
【図２７Ｂ】本開示の様々な実施形態に従う、モータ付き組織処置装置の斜視図を例示する。
【００６１】
【図２７Ｃ】本開示の様々な実施形態に従う、モータ付き組織処置装置の上面図を例示する。
【００６２】
【図２８Ａ】本開示の様々な実施形態に従う、無菌ドレープを含む組織処置システムを例示する。
【図２８Ｂ】本開示の様々な実施形態に従う、無菌ドレープを含む組織処置システムを例示する。
【００６３】
【図２９Ａ】本開示の様々な実施形態に従う、基部と、交換可能な組織処理ユニットとを含む組織処置システムを例示する。
【図２９Ｂ】本開示の様々な実施形態に従う、基部と、交換可能な組織処理ユニットとを含む組織処置システムを例示する。
【図２９Ｃ】本開示の様々な実施形態に従う、基部と、交換可能な組織処理ユニットとを含む組織処置システムを例示する。
【図２９Ｄ】本開示の様々な実施形態に従う、基部と、交換可能な組織処理ユニットとを含む組織処置システムを例示する。
【００６４】
【図３０Ａ】本開示の様々な実施形態に従う、動作の様々な段階中のチューブ管理装置を含む組織処置システムを例示する。
【図３０Ｂ】本開示の様々な実施形態に従う、動作の様々な段階中のチューブ管理装置を含む組織処置システムを例示する。
【００６５】
【図３１Ａ】本開示の様々な実施形態に従う、組織処置システム及び対応するチューブ管理装置を例示する。
【図３１Ｂ】本開示の様々な実施形態に従う、組織処置システム及び対応するチューブ管理装置を例示する。
【図３１Ｃ】本開示の様々な実施形態に従う、組織処置システム及び対応するチューブ管理装置を例示する。
【図３１Ｄ】本開示の様々な実施形態に従う、組織処置システム及び対応するチューブ管理装置を例示する。
【００６６】
【図３２】図３１Ａの組織処置システムの下斜視図を例示する。
【００６７】
【図３３Ａ】本開示の様々な実施形態に従う、チューブ管理装置を含む組織処置システムを例示する。
【図３３Ｂ】本開示の様々な実施形態に従う、チューブ管理装置を含む組織処置システムを例示する。
【図３３Ｃ】本開示の様々な実施形態に従う、チューブ管理装置を含む組織処置システムを例示する。
【図３３Ｄ】本開示の様々な実施形態に従う、チューブ管理装置を含む組織処置システムを例示する。
【００６８】
【図３４】本開示の様々な実施形態に従う、チューブ管理装置を含む組織処置システムを例示する。
【００６９】
【図３５】本開示の様々な実施形態に従う、脂肪組織を抽出するための中空中央シャフトを含む組織処置システムを例示する。
【００７０】
【図３６】本開示の様々な実施形態に従う、中空中央シャフトを含む組織処置システムの代替の実施形態を例示する。
【００７１】
【図３７Ａ】本開示の様々な実施形態に従う、低プロファイルの組織処置システムを例示する。
【００７２】
【図３７Ｂ】図３７Ａのシステムの側面図を例示する。
【００７３】
【図３８】本開示の様々な実施形態に従う、組織処置システムを例示する。
【００７４】
【図３９Ａ】本開示の様々な実施形態に従う、成型ハンドルを含む組織処置システムの斜視図を例示する。
【００７５】
【図３９Ｂ】本開示の様々な実施形態に従う、成型ハンドルを含む組織処置システムの側面図を例示する。
【００７６】
【図４０】本開示の様々な実施形態に従う、多数の成型ハンドルを含む組織処置システムを例示する。
【００７７】
【図４１Ａ】本開示の様々な実施形態に従う、組織処置システム及び関連付けられたパッケージングを例示する。
【図４１Ｂ】本開示の様々な実施形態に従う、組織処置システム及び関連付けられたパッケージングを例示する。
【図４１Ｃ】本開示の様々な実施形態に従う、組織処置システム及び関連付けられたパッケージングを例示する。
【００７８】
【図４２Ａ】本開示の様々な実施形態に従う、載置システム及び載置システムを含む組織処置システムを例示する。
【図４２Ｂ】本開示の様々な実施形態に従う、載置システム及び載置システムを含む組織処置システムを例示する。
【００７９】
【図４３】本開示の様々な実施形態に従う、載置システムを含む組織処置システムを例示する。
【００８０】
【図４４Ａ】本開示の様々な実施形態に従う、流体（複数可）のための貯蔵システムを含む組織処置システムを例示する。
【図４４Ｂ】本開示の様々な実施形態に従う、流体（複数可）のための貯蔵システムを含む組織処置システムを例示する。
【００８１】
【図４５Ａ】本開示の様々な実施形態に従う、流体（複数可）のための貯蔵システムを含む組織処置システムを例示する。
【図４５Ｂ】本開示の様々な実施形態に従う、流体（複数可）のための貯蔵システムを含む組織処置システムを例示する。
【００８２】
【図４６Ａ】本開示の様々な実施形態に従う、チューブ管理装置を含む組織処置システムの斜視図及び側面図を例示する。
【図４６Ｂ】本開示の様々な実施形態に従う、チューブ管理装置を含む組織処置システムの斜視図及び側面図を例示する。
【００８３】
【図４７】本開示の様々な実施形態に従う、洗浄サイクルカウンタを有する組織処置システムを例示する。
【００８４】
【図４８Ａ】本開示の様々な実施形態に従う、折り畳まれていない状態及び折り畳まれた状態における折り畳み可能な組織処置システムを例示する。
【図４８Ｂ】本開示の様々な実施形態に従う、折り畳まれていない状態及び折り畳まれた状態における折り畳み可能な組織処置システムを例示する。
【００８５】
【図４９Ａ】本開示の様々な実施形態に従う、組織処置システムを例示する。
【図４９Ｂ】本開示の様々な実施形態に従う、組織処置システムを例示する。
【図４９Ｃ】本開示の様々な実施形態に従う、組織処置システムを例示する。
【００８６】
【図５０】本開示の様々な実施形態に従う、組織処置システムを例示する。
【００８７】
【図５１Ａ】本開示の様々な実施形態に従う、組織処置システムを例示する。
【図５１Ｂ】本開示の様々な実施形態に従う、組織処置システムを例示する。
【図５１Ｃ】本開示の様々な実施形態に従う、組織処置システムを例示する。
【００８８】
【図５２Ａ】本開示の様々な実施形態に従う、組織処置システムを例示する。
【図５２Ｂ】本開示の様々な実施形態に従う、組織処置システムを例示する。
【図５２Ｃ】本開示の様々な実施形態に従う、組織処置システムを例示する。
【００８９】
【図５３Ａ】本開示の様々な実施形態に従う、組織処置システムを例示する。
【図５３Ｂ】本開示の様々な実施形態に従う、組織処置システムを例示する。
【図５３Ｃ】本開示の様々な実施形態に従う、組織処置システムを例示する。
【００９０】
【図５４Ａ】本開示の様々な実施形態に従う、組織処置システムを例示する。
【図５４Ｂ】本開示の様々な実施形態に従う、組織処置システムを例示する。
【図５４Ｃ】本開示の様々な実施形態に従う、組織処置システムを例示する。
【図５４Ｄ】本開示の様々な実施形態に従う、組織処置システムを例示する。
【図５４Ｅ】本開示の様々な実施形態に従う、組織処置システムを例示する。
【発明を実施するための形態】
【００９１】
以下、本開示による特定の例示的な実施形態の詳細な参照を行うが、その特定の実施例を添付図面に例示する。可能な限り、図面全体を通して、同じ又は類似する部品を指すように同じ参照番号が使用される。
【００９２】
本出願では、特に具体的に明記しない限り、単数の使用に複数を含む。本出願では、特に明記しない限り、「又は」の使用は「及び／又は」を意味する。更に、用語「含んでいる」、並びに「含まれる」及び「含む」等の他の形態の使用は限定されない。本明細書で使用される任意の項目は、体系化目的のみのためであり、説明される主題に限定すると解釈されない。特許、特許出願、文献、書籍、及び論文が挙げられるがこれらに限定されない、本出願に引用される全ての文書又は文書の一部は、参照によりその全体が任意の目的で本明細書に明示的に組み込まれる。
【００９３】
本明細書で使用するとき、「脂肪組織」は、例えば脂肪吸引及び／又は腫脹脂肪吸引を含む任意の手段によって得られた脂肪組織を指す。加えて、脂肪組織は、実質的にそのままの状態である場合があり、又は例えば、食塩水、抗菌物質、洗剤、若しくは他の薬剤による洗浄によって、鎮痛剤、抗菌剤、及び抗炎症剤等の治療剤の添加によって、いくつかの細胞若しくは無細胞成分の取り出しによって、又は、例えば脂肪吸引若しくは腫脹脂肪吸引中を含む、収集過程自体による破壊若しくは変質によって変化する場合がある。脂肪組織は、自己組織、同種組織、又は異種組織（例えば、ブタ組織）とすることができる。
【００９４】
上で説明したように、いくつかの外科的手順は、患者と処置システム若しくは装置との間で、又はシステム及び装置の間で、流体、ガス、及び／又は組織製品を移送するために、チューブ、ホース、又は他の導管の使用を必要とする。多段階手順は、珍しいものではなく、また、入力及び出力ポートに対するホースの接続及び接続解除を必要とする場合がある。例えば、脂肪組織を移植及び処理（例えば、脂肪洗浄）するためのシステムは、真空源を有効及び無効にすること、又は組織貯蔵及び処置容器に対して組織若しくは洗浄溶液を追加すること、若しくは取り出すことを含む、１００を超えるユーザの動作及び判断の組み合わせを必要とし得る。外科的又は医療的手順中のチューブ接続の維持管理及び確認は、特に手順が時間に左右される成分を有するときに、些細なことではなくなり得る。
【００９５】
様々なヒト及び動物の組織を使用して、患者を処置するための製品を生成することができる。例えば、様々な疾患及び／又は構造的な損傷（例えば、外傷、手術、萎縮、及び／又は長期の摩耗、及び変性）のため損傷又は喪失したヒト組織の再生、修復、増強、強化、及び／又は処置のために、様々な組織製品が製造されている。自己脂肪移植を含む脂肪移植は、顔面充填剤、豊胸、腰部増強／整形、他の組織部位の増強、乳腺腫瘤摘出による欠損の補正、頭蓋顔面の欠損の修正、及び脂肪吸引術による欠損（例えば、窪み）の補正を含む、様々な臨床応用に有用であり得る。
【００９６】
自己脂肪移植のための組織を調製するには、組織の洗浄及び処理を行わなければならない。移植の過程は、典型的に、シリンジ又はカニューレによって患者から組織を取り出す等の工程を含む。取り出した組織は、組織処理容器の中へ引き込まれ、そこでは、組織の不要な成分（又は組織への添加剤）を分離することができ、及び／又は組織は、様々な溶液を使用して洗浄することができる。典型的なシステムは、フィルタ処理及び分離のためのメッシュと、混合ブレードに接続されたクランクと、（例えば、処理流体を加える、又は取り出すために、及び組織を移送するために）複数の入力及び出力ポートとを含むことができる。組織を十分に調製した時点で、当該組織は、容器から取り出し、患者に注入するか、又は再度移植しなければならない。移送工程中には、真空装置が、場所から場所への組織の移動を補助する。しかしながら、処理工程中には、負圧への接続を解除することが望ましい。加えて、任意の所与の工程中に使用されていないチューブは、システムの無菌状態を維持するために、又は適切なチューブを通した吸引若しくは移動の印加を可能にするために遮断されるべきである。
【００９７】
図１を参照すると、組織処置システム１００の例示的な実施形態が示されている。図に示されるように、組織処置システム１００は、内部容積を取り囲む外壁１１０を有する容器を含むことができる。容器の内部はまた、組織の洗浄及び調整を可能にするために、フィルタ、混合ブレード、ホース、及び他の構成要素も含むことができる。システム１００は、システム１００の動作を容易にするために、チューブ管理装置１０１を含むことができる。チューブは、システム１００の外部からチューブ管理装置１０１のポート１０２を通って内部に入ることができ、チューブ管理装置１０１内のチューブ制限装置（下で論じる）は、所与のシステム構成について、どのチューブを開き、どのチューブを遮断するのかを制御することができる。システム構成は、マルチポジションスイッチ１０３の設定によって決定される。いくつかの実施形態において、システム１００は、ユーザによる好都合な取り扱いのためのキャリーハンドルを備えることができる。いくつかの実施形態において、チューブ管理装置１０１は、漏出を伴わずに、少なくとも１気圧（すなわち、約７５ｃｍＨｇ）の真空に対して、遮断されたチューブを保持することができる。
【００９８】
本明細書で使用するとき、用語「チューブ」、「ホース」、「導管」、又は類似する言語を交換可能に使用し、また、流体、ガス、及び／又は組織製品がそこを通過することを可能にするように構成されたルーメンを有する任意の通路を指すことが理解されるであろう。
【００９９】
チューブ管理装置１０１の１つの実施形態の分解図を図２に示す。チューブ管理装置１０１は、ポート１０２ａ、１０２ｂ、１０２ｃと、マルチポジションスイッチ１０３とを含むことができる。チューブは、装置１０１を出て行く前に、ポート１０２ａ、１０２ｂ、１０２ｃを通過し、次いで、チューブ制限プレート１０４及びチューブ安定化プレート１０７を通過することができる。マルチポジションスイッチ１０３の位置に基づいて、チューブ制限プレート１０４上の制限要素１０５は、チューブのそれぞれを通る流れを可能にすること、又は妨げることができる。いくつかの実施形態において、チューブ管理装置１０１の含有物は、本体を形成する外壁１０８内に含むことができる。代替の実施形態において、チューブ管理装置１０１の構成要素は、容器１１０の構造体に直接取り付けることができる。
【０１００】
ポート１０２ａ、１０２ｂ、１０２ｃは、様々な構成を有することができる。様々な実施形態に従って、ポート１０２ａ、１０２ｂ、１０２ｃは、直線壁若しくは有刺であってもよく、ねじ付き若しくはねじ無しであってもよく、また、いかなる嵌合金具、ルアー嵌合金具、スエージ加工した嵌合金具、又は特定の用途に適した任意の他の種類のコネクタを有しなくてもよい。ポート１０２ａ、１０２ｂ、１０２ｃは、チューブ管理装置１０１の本体から外へ延在するように表されているが、ポートはまた、ねじ付き若しくはねじ無しの孔若しくは凹部とすることもでき、又は表面から装置１０１の本体の中へ内方に延在させることもできる。図２では３つのポートだけが表されているが、特定の用途に必要とされるチューブの数に合致するように、任意の数のポートを選択することができる。ガス、液体、化学溶液、及び生物組織が挙げられるが、これらに限定されない物質は、マルチポジションスイッチの位置に応じて、及び医療的手順の任意の特定の工程の要件に応じて、ポート１０２ａ、１０２ｂ、１０２ｃの中へ、及び外へ流れることができる。
【０１０１】
マルチポジションスイッチ１０３の位置を使用して、異なる装置構成の間で切り換えることができる。いくつかの実施形態において、マルチポジションスイッチ１０３は、回転体又はノブであり、本体の回転角度が切り換え状態を決定する。様々な実施形態に従って、マルチポジションスイッチ１０３は、適切なリンクを通して装置を通過するチューブの開度の状態を変更することができる任意の機械又は電子スイッチ（回転又は直線投スイッチを含む）とすることができる。いくつかの実施形態において、マルチポジションスイッチ１０３は、ユーザによる、特に外科用手袋を着用しているユーザによる、より楽な動作を容易にするために、滑り止め把持部又は類似する特徴を含むことができる。マルチポジションスイッチ１０３の位置は、手順の工程に対応することができる。例えば、手順の工程としては、脂肪吸引／組織抽出、保持及び混合、灌流、並びに真空／クリア工程を挙げることができる。
【０１０２】
チューブ制限プレート１０４は、流れ制限装置の使用を通じて、プレート１０４のチューブ貫通孔を通過するチューブを通る流れを遮断すること、又は可能にすることができる。様々な実施形態に従って、並びに図２及び図３に表されるように、チューブ制限プレート１０４は、輪郭形成された半径方向スロットの形態の流れ制限装置１０５を備えることができる。スロット１０５は、チューブ制限プレート１０４の角度位置ごとに、チューブに対するスロットの所望の動作に従って変動するスロット幅を有することができる。例えば、各スロット１０５は、制限されないチューブ内の流れ、又は完全に遮断されたチューブ内の流れのいずれかに対応する、２つのスロット幅を含むことができる。代替的に、各スロットは、異なるレベルの流れ制限に対応する幅の範囲を有することができる。いくつかの実施形態において、チューブ制限プレート１０４は、アクリル材料を含むことができる。
【０１０３】
図３において、チューブ制限プレート１０４は、チューブ安定化プレート１０７に重ね合わせて、スロット１０５ａ、１０５ｂ、１０５ｃを示した状態で示される。図３に示されるチューブ制限プレート１０４の例示的な実施形態は、３つの位置を有するマルチポジションスイッチ１０３を有するチューブ管理装置１０１に適した、輪郭形成された半径方向スロット１０５ａ、１０５ｂ、１０５ｃの形態のチューブ貫通孔を例示する。チューブ制限プレート１０４の輪郭形成された半径方向スロット１０５ａ、１０５ｂ、１０５ｃは、この上面図において、チューブ安定化プレート１０７のチューブ貫通孔１１５ａ、１１５ｂ、１１５ｃ上に重ね合わせられている。この図において、チューブ安定化プレート１０７に対するチューブ制限プレート１０４の位置は、第１の位置においてスロット１０５ａ、１０５ｂ、１０５ｃをチューブ貫通孔１１５ａ、１１５ｂ、１１５ｃの上に配置する。マルチポジションスイッチ１０３の起動は、チューブ制限プレート１０４を矢印によって示される方向に回転させることができ、一方で、チューブ安定化プレート１０７は、適所に留まる。その結果、必要に応じて、半径方向スロットを第２又は第３の位置に進めることができる。１つの実施形態において、マルチポジションスイッチ１０３の起動は、チューブ安定化プレート１０７を回転させることができ、一方で、チューブ制限プレート１０４は、適所に留まる。様々な実施形態に従って、システム１００は、異なる工程を有する異なる手順を意図するスロット１０５ａ、１０５ｂ、１０５ｃの異なる配設を有する、複数のチューブ制限プレート１０４を備えることができる。これらの実施形態において、ユーザは、用途に応じて、複数のチューブ制限プレート１０４のうちの１つを選択して、装置１０１の本体１０８内に配置することができる。
【０１０４】
チューブ制限プレート１０４は、マルチポジションスイッチ１０３とインターロックすることができる位置決め特徴１０６を有することができる。位置決め特徴１０６は、輪郭形成された半径方向スロット１０５ａ、１０５ｂ、１０５ｃがそれらのそれぞれのポート１０２ａ、１０２ｂ、１０２ｃと適切に一直線になるように、ユーザが、チューブ制限プレートをマルチポジションスイッチ１０３と、チューブ管理装置１０１内で整列させるのを補助することができる。加えて、位置決め特徴１０６は、スイッチの位置がチューブ管理装置１０１内の適切なチューブの状態を反映するように、マルチポジションスイッチ上の相補的な特徴に合致させることができる。いくつかの実施形態において、位置決め特徴１０６は、マルチポジションスイッチ１０３をチューブ制限プレート１０４に固定することができ、よって、スイッチを回転させたときに、それらが協調して移動する。
【０１０５】
チューブ管理装置１０１は、チューブ安定化プレート１０７を有することができる。チューブ安定化プレート１０７は、チューブがそこを通過することを可能にするために、チューブ貫通孔１１５を有する。いくつかの実施形態において、チューブ安定化プレート１０７内のチューブ貫通孔１１５のそれぞれの直径は、圧縮することなく各チューブの外側周囲に安全な嵌合を提供するために、孔１１５を通過する対応するチューブの外径に等しくすること、又はほぼ等しくすることができる。チューブ安定化プレート１０７は、チューブ制限プレート１０４の起動又は移動がチューブを捻ること、再配向すること、又は移動させることができないように、チューブを適切な位置に保持することができる。
【０１０６】
上で論じたように、システム１００を使用して、脂肪組織移送システム等の外科的システムを動作させることができる。故に、脂肪組織移送過程の例示的な判定マトリックス４００を図４に示す。判定マトリックスを使用して、脂肪移送手順の任意の工程中のシステム内の任意のチューブの開／閉状態を判定することができる。いくつかの実施形態において、図１に類似する組織処置システム１００は、医療的手順の所与の工程中に開又は遮断のいずれかである４つのチューブ入力を有することができる。脂肪吸引又は吸入４０２工程では、脂肪吸引カニューレへのチューブ及び真空チューブを開くことができ、一方で、灌流チューブ及び通気チューブは、閉じられている。保持及び混合又は洗浄４０４工程では、４つ全ての入力を遮断することができる。灌流又は移送４０６工程では、脂肪吸引カニューレへのチューブ及び真空チューブを閉じることができ、一方で、灌流チューブ及び通気口チューブを開くことができる。真空／クリア４０８工程では、脂肪吸引カニューレ及び灌流チューブへのチューブを閉じることができ、一方で、真空チューブ及び通気チューブを開くことができる。
【０１０７】
故に、及び行われている特定の組織処理に応じたその判定マトリックス又は予見可能な変形例と一致して、脂肪組織を処理する方法を提供する。本方法は、少なくとも以下の工程を含むことができ、当該工程は、本明細書で説明され、また、開示される図のいずれかにおいて例示される様々な装置を使用して実施することができる。本方法は、第１の工程を含むことができ、当該工程では、マルチポジションスイッチ（ハンドル９０３又はスイッチ１００３を参照されたい）を介して、装置を脂肪吸引モードに設定し、組織移送入力ポート及び真空ポートを開く。本方法は、組織を処理するための第２の工程を含むことができ、当該工程では、スイッチを、組織を保持し、処理する（例えば、混合又は培養する）モードに設定することができ、全てのポートが閉じられ得る。本方法は、灌流のための第３の工程を更に含むことができ、当該工程では、マルチポジションスイッチが、１つ以上の灌流又は流体入力ポートを開くことを可能にするように設定され、また、（例えば、灌流又は流体を取り出すために）真空にするための第４の工程を更に含むことができる。
【０１０８】
しかしながら、様々な工程が修正され得ること、及び／又は繰り返され得ることが認識されるであろう。例えば、本明細書で論じられるように、多数の灌流及び真空／洗浄工程を行うことができ、追加的なポートを含むことができる。
【０１０９】
チューブ管理装置５０１の代替の実施形態を図５に示す。チューブ管理装置５０１は、ポート５０２と、マルチポジションスイッチ５０３とを含むことができる。チューブは、装置５０１を出て行く前に、ポート５０２から、チューブ制限プレート５０４及びチューブ安定化プレート５０７を通過することができる。マルチポジションスイッチの位置に基づいて、チューブ制限プレート５０４上の制限要素５０５は、チューブのそれぞれを通る流れを可能にすること、又は妨げることができる。チューブ管理装置５０１の含有物は、本体を形成する外壁５０８内に含むことができる。
【０１１０】
上で論じられる実施形態と同様に、ポートは、様々な構成を有することができる。例えば、ポート５０２は、直線壁若しくは有刺であってもよく、ねじ付き若しくはねじ無しであってもよく、また、いかなる嵌合金具、ルアー嵌合金具、スエージ加工した嵌合金具、又は用途固有の要件によって要求される任意の他の種類のコネクタを有しなくてもよい。ポート５０２は、この実施形態において、チューブ管理装置５０１の本体から外へ延在するように表されているが、ポートはまた、ねじ付き若しくはねじ無しの凹部若しくは孔とすることもでき、又は装置表面から装置５０１の本体の中へ内方に延在させることもできる。図５では３つのポートだけが表されているが、特定の用途に必要とされるチューブの数に合致するように、任意の数のポートを選択することができる。ガス、液体、化学溶液、及び生物組織が挙げられるが、これらに限定されない物質は、マルチポジションスイッチの位置に応じて、及び外科的手順の任意の特定の工程の要件に応じて、ポート５０２の中へ、及び外へ流れることができる。
【０１１１】
マルチポジションスイッチ５０３の位置を使用して、異なる装置構成の間で切り替えることができる。いくつかの実施形態において、マルチポジションスイッチ５０３は、回転体又はノブであり、本体の回転角度が切り換え状態を決定する。様々な実施形態に従って、マルチポジションスイッチ５０３は、適切なリンクを通して装置を通過するチューブの開度の状態を変更することができる任意の機械又は電子スイッチ（回転又は直線投スイッチを含む）とすることができる。いくつかの実施形態において、マルチポジションスイッチ５０３は、ユーザによる、特に外科用手袋を着用しているユーザによる、より楽な動作を容易にするために、滑り止め把持部又は類似する特徴を含むことができる。マルチポジションスイッチ５０３の位置は、手順の工程に対応することができる。例えば、手順の工程としては、脂肪吸引／組織抽出、保持及び混合、灌流、並びに真空／クリア工程を挙げることができる。
【０１１２】
チューブ制限プレート５０４は、流れ制限装置の使用を通じて、プレートのチューブ貫通孔５１６を通過するチューブを通る流れを遮断すること、又は可能にすることができる。チューブ制限プレート５０４は、中央部分５０４ｂと回転可能に係合する外部リング５０４ａを含むことができる。チューブは、流れ制限装置に隣接するチューブ貫通孔５１６を通ってチューブ制限プレート５０４を通過することができる。様々な実施形態に従って、及び図５に示されるように、チューブ制限プレート５０４は、中央部分５０４ｂ上の輪郭形成された中央ハブ５１２の形態の流れ制限装置と、外部リング５０４ａに取り付けられた一体型ばね５１４を介してハブ５１２にチューブを押し付ける摺動ブロック５０５とを備えることができる。摺動ブロック５０５は、平面プレート、円筒、楕円形、球形、卵形構成、又は用途固有の要件を満たす任意の他の形状として成形することができる。いくつかの実施形態において、輪郭形成された中央ハブ５１２は、ポート５０２の数に等しい数の凹部を有することができ、各チューブは、輪郭形成された中央ハブの凹部に隣接するチューブ貫通孔５１６を通過することができる。一体型ばね５１２に取り付けられた摺動ブロック５０５が、輪郭形成された中央ハブ５１２の凹部と一直線になると、ばね力が摺動ブロックに広がり、当該摺動ブロックをチューブに押し付けることができる。いくつかの実施形態において、チューブ制限プレート５０４の中央部分５０４ｂは、チューブ安定化プレート５０７に固定的に取り付けることができる。マルチポジションスイッチ５０３をある位置から別の位置まで変化させると、チューブ制限プレート５０４の外部リング５０４ａを回転させることができ、一方で、輪郭形成された中央ハブ５１２を含む中央部分５０４ｂは、チューブ安定化プレート５０７に対して回転しない。
【０１１３】
様々な実施形態に従って、外部リング５０４ａは、一方向ラチェット機構５０９を備えることができる。ラチェット機構の歯は、外部リング５０４ａの回転が一方向において可能にされるが、反対方向においては阻止されるように、チューブ制限プレート５０４の中央部分５０４ｂに位置付けられた爪５１１と係合することができる。爪５１１は、この実施形態において、中央部分５０４ｂに位置付けられるように表されているが、当業者は、マルチポジションスイッチ５０３の内部又はチューブ安定化プレート５０７等の、チューブ管理装置５０１の全体を通して他の地点に爪を取り付けることができることを認識するであろう。
【０１１４】
チューブ管理装置５０１はまた、チューブ安定化プレート５０７も含むことができる。チューブ安定化プレート５０７は、チューブが通過することを可能にするために、チューブ貫通孔５１５を有することができる。いくつかの実施形態において、チューブ安定化プレート５０７内のチューブ貫通孔５１５のそれぞれの直径は、圧縮することなく各チューブの外側周辺に安全な嵌合を提供するために、孔を通過する対応するチューブの外径に等しくすること、又は僅かに大きくすることができる。チューブ安定化プレート５０７は、チューブ制限プレート５０４の起動又は移動がチューブを捻ること、再配向すること、又は移動させることができないように、チューブを適切な位置に保持することができる。
【０１１５】
チューブ管理装置の別の実施形態を図６に示す。チューブ管理装置６０１は、ポート６０２と、マルチポジションスイッチ６０３とを含むことができる。装置６０１は、チューブ安定化プレート６０７と、流れ制限装置を含むチューブ制限プレート６０４とを含むことができる。装置６０１の構成要素は、本体６０８内に封入することができる。
【０１１６】
ポート６０２は、チューブ管理装置６０１と外界との間の接続部である。様々な実施形態に従って、ポート６０２は、直線壁若しくは有刺であってもよく、ねじ付き若しくはねじ無しであってもよく、また、いかなる嵌合金具、ルアー嵌合金具、スエージ加工した嵌合金具、又は用途固有の要件によって要求される任意の他の種類のコネクタを有しなくてもよい。ポート６０２は、この実施形態において、チューブ管理装置６０１の本体から外へ延在するように表されているが、ポートはまた、ねじ付き若しくはねじ無しの孔とすることもでき、又は装置の表面から装置６０１の本体の中へ内方に延在させることもできる。図６では３つのポートだけが表されているが、当業者には、特定の用途において必要とされるチューブの数に合うように、任意の数のポート６０２を選択することができることが明らかになるであろう。ガス、液体、化学溶液、及び生物組織が挙げられるが、これらに限定されない流体は、マルチポジションスイッチの位置に応じて、及び医療的手順の任意の特定の工程の要件に応じて、ポート６０２の中へ、及び外へ流れることができる。
【０１１７】
マルチポジションスイッチ６０３の位置を使用して、異なる装置構成の間で切り換えることができる。いくつかの実施形態において、マルチポジションスイッチ６０３は、回転体又はノブであり、本体の回転角度が切り換え状態を決定する。様々な実施形態に従って、マルチポジションスイッチ６０３は、適切なリンクを通して装置を通過するチューブの開度の状態を変更することができる任意の機械又は電子スイッチ（回転又は直線投スイッチを含む）とすることができる。いくつかの実施形態において、マルチポジションスイッチ６０３は、ユーザによる、特に外科用手袋を着用しているユーザによる、より楽な動作を容易にするために、滑り止め把持部又は類似する特徴を含むことができる。マルチポジションスイッチ６０３の位置は、手順の工程に対応することができる。例えば、手順の工程としては、脂肪吸引／組織抽出、保持及び混合、灌流、並びに真空／クリア工程を挙げることができる。
【０１１８】
チューブ制限プレート６０４は、中央部分６０４ｂと回転可能に係合する外部リング６０４ａを含むことができる。チューブは、流れ制限装置に隣接するチューブ貫通孔６１６を通過することができる。様々な実施形態に従って、及び図６に示されるように、チューブ制限プレート６０４は、中央部分６０４ｂ上の輪郭形成された中央ハブ６１２の形態の流れ制限装置と、外部リング６０４ａに取り付けられた一体型ばね６１４を介してハブ６１２にチューブを押し付ける摺動ブロック６０５とを備えることができる。摺動ブロック６０５は、平面プレート、円筒、楕円形、球形、卵形、又は用途固有の要件を満たす任意の他の形状として成形することができる。いくつかの実施形態において、輪郭形成された中央ハブ６１２は、ポート６０２の数に等しい数の凹部を有することができ、各チューブは、輪郭形成された中央ハブの凹部に隣接するチューブ貫通孔６１６を通過することができる。一体型ばね６１２に取り付けられた摺動ブロック６０５が、輪郭形成された中央ハブ６１２の凹部と一直線になると、ばね力が摺動ブロックに広がり、当該摺動ブロックをチューブに押し付けることができる。マルチポジションスイッチ６０３をある位置から別の位置まで変化させると、チューブ制限プレート６０４の外部リング６０４ａを回転させることができ、一方で、輪郭形成された中央ハブ６１２を含む中央部分６０４ｂは、チューブ安定化プレート６０７に対して回転しない。様々な実施形態に従って、摺動ブロック６０５及び一体型ばね６１４は、スペーサ６０４ｃを使用して、異なる半径方向深さで配置することができる。
【０１１９】
チューブ管理装置６０１は、いくつかの実施形態において、チューブ安定化プレート６０７を有することができる。チューブ安定化プレート６０７は、チューブが通過することを可能にするために、チューブ貫通孔６１５を有することができる。好ましい実施形態において、チューブ安定化プレート６０７内のチューブ貫通孔６１５のそれぞれの直径は、圧縮することなく各チューブの外側周辺に安全な嵌合を提供するために、孔を通過する対応するチューブの外径に等しくすることができる。チューブ安定化プレート６０７は、チューブ制限プレート６０４の起動又は移動がチューブを捻ること、再配向すること、又は移動させることができないように、チューブを適切な位置に保持することができる。
【０１２０】
図６の実施形態のチューブ安定化プレート６０７に重ね合わせたチューブ制限プレート６０４の上面図を図７に示す。様々な実施形態に従って、チューブ制限プレート６０４は、チューブが、中央部分６０４ｂの輪郭形成された中央ハブ６１２及び関連付けられた流れ制限装置に対する位置を変化させることを可能にするために、スロット６１３を有することができる。このようにして、チューブ制限プレート６０４の単一の実施形態を２つ以上の構成で使用することができる。チューブが「イン」の位置にあるときに、チューブは、輪郭形成された中央ハブ６１２の凹部の近くを通過し、また、外部リング６０４ａから延在するスペーサ６０４ｃに取り付けられた摺動ブロック６０５によって閉じることができる。チューブが「アウト」の位置にあるときに、チューブは、輪郭形成された中央ハブ６１２の延在した部分の近くを通過する。この位置において、チューブは、一体型ばね６１４によって外部リング６０４ａに直接取り付けられている摺動ブロック６０５によって閉じることができる。好ましい実施形態において、スペーサ６０４ｃを伴わずに外部リング６０４ａに直接取り付けられた摺動ブロック６０５は、輪郭形成された中央ハブ６１２の凹部に隣接するチューブに到達することができない。
【０１２１】
様々な実施形態に従って、外部リング６０４ａは、一方向ラチェット機構６０９を備えることができる。ラチェット機構の歯は、外部リング６０４ａの回転が一方向において可能にされるが、反対方向においては阻止されるように、チューブ制限プレート６０４の中央部分６０４ｂに位置付けられた爪６１１と係合することができる。爪６１１は、この実施形態において、中央部分６０４ｂに位置付けられるように表されているが、当業者は、マルチポジションスイッチ６０３の内部又はチューブ安定化プレート６０７等の、チューブ管理装置６０１の全体を通して他の地点に爪を取り付けることができることを認識するであろう。
【０１２２】
外科的導管を管理する方法もまた、発明者によって想定される。本方法は、流れ制限装置のそれぞれがチューブの少なくとも１つの近位にある本体内の複数のチューブ及び複数の流れ制限装置を提供することと、マルチポジションスイッチを提供することとを含み、スイッチが第１の位置にあるときには、チューブの第１のサブセット内の流れが流れ制限装置によって制限され、スイッチが第２の位置であるときには、第１のサブセットとは異なるチューブの第２のサブセット内の流れが流れ制限装置によって制限される。本方法は、マルチポジションスイッチを第１の位置から第２の位置へ切り換えることを更に含むことができる。
【０１２３】
流れ制限装置のそれぞれがチューブの少なくとも１つの近位にある、複数のチューブ及び複数の流れ制限装置を本体内に提供する工程は、限定されないが、図１〜図３に関連して上で説明したように、チューブに、チューブ管理装置１０１のポート１０２を通過させ、そして、流れ制限装置１０５を超えさせることを含むことができる。
【０１２４】
スイッチが第１の位置にあるときには、チューブの第１のサブセット内の流れが流れ制限装置によって制限され、スイッチが第２の位置であるときには、第１のサブセットとは異なるチューブの第２のサブセット内の流れが流れ制限装置によって制限される、マルチポジションスイッチを提供する工程は、限定されないが、図１〜図３に関連して上で説明したように、マルチポジションスイッチ１０３をチューブ管理装置１０１内に提供することを含むことができる。
【０１２５】
マルチポジションスイッチを第１の位置から第２の位置へ切り替える工程は、限定されないが、図１及び図２に関連して上で説明したように、マルチポジションスイッチ１０３を第１の位置から第２の位置へ切り替えることを含むことができる。
【０１２６】
チューブ管理装置８０１の代替の実施形態の分解図を図８に示す。チューブ管理装置８０１は、ポート８０２ａ、８０２ｂ、８０２ｃと、マルチポジションスイッチ８０３とを含むことができる。チューブ８１２は、装置８０１を出て行く前に、ポート８０２ａ、８０２ｂ、８０２ｃを通過し、次いで、チューブ制限プレート８０４及びチューブ安定化プレート８０７を通過する。マルチポジションスイッチ８０３の位置に基づいて、チューブ制限プレート８０４上の制限要素８０５は、チューブ８１２のそれぞれを通る流れを可能にすること、又は妨げることができる。いくつかの実施形態において、チューブ管理装置８０１の含有物は、本体を形成する外壁８０８内に含むことができる。
【０１２７】
ポート８０２ａ、８０２ｂ、８０２ｃは、図２に関して上で説明されるように、様々な構成を有することができる。様々な実施形態に従って、ポート８０２ａ、８０２ｂ、８０２ｃは、直線壁若しくは有刺であってもよく、ねじ付き若しくはねじ無しであってもよく、また、いかなる嵌合金具、ルアー嵌合金具、スエージ加工した嵌合金具、又は特定の用途に適した任意の他の種類のコネクタを有しなくてもよい。ポート８０２ａ、８０２ｂ、８０２ｃは、チューブ管理装置８０１の本体から外へ延在するように表されているが、ポートはまた、ねじ付き若しくはねじ無しの孔若しくは凹部とすることもでき、又は表面から装置８０１の本体の中へ内方に延在させることもできる。図８では３つのポートだけが表されているが、特定の用途に必要とされるチューブ８１２の数に合致するように、任意の数のポートを選択することができる。ガス、液体、化学溶液、及び生物組織が挙げられるが、これらに限定されない物質は、マルチポジションスイッチの位置に応じて、及び医療的手順の任意の特定の工程の要件に応じて、ポート８０２ａ、８０２ｂ、８０２ｃを通過するチューブ８１２の中へ、及び当該チューブの外へ流れることができる。
【０１２８】
図２を参照して上で説明したように、マルチポジションスイッチ８０３の位置を使用して、異なる装置構成の間で切り換えることができる。いくつかの実施形態において、マルチポジションスイッチ８０３は、回転体又はノブであり、本体の回転角度が切り換え状態を決定する。様々な実施形態に従って、マルチポジションスイッチ８０３は、適切なリンクを通してチューブ８１２の開度の状態を変更することができる任意の機械又は電子スイッチ（回転又は直線投スイッチを含む）とすることができる。いくつかの実施形態において、マルチポジションスイッチ８０３は、ユーザによる、特に外科用手袋を着用しているユーザによる、より楽な動作を容易にするために、滑り止め把持部又は類似する特徴を含むことができる。マルチポジションスイッチ８０３の位置は、手順の工程に対応することができる。例えば、手順の工程としては、脂肪吸引／組織抽出、保持及び混合、灌流、並びに真空／クリア工程を挙げることができる。
【０１２９】
チューブ制限プレート８０４は、流れ制限装置の使用を通じて、チューブ８１２がプレートを通過するときに、当該チューブを通る流れを遮断すること、又は可能にすることができる。図２及び図３に表される実施形態に類似して、チューブ制限プレート８０４は、流れ制限装置、及び輪郭形成された半径方向スロット８０５の形態のチューブ貫通孔の両方を備えることができる。代替の実施形態において、流れ制限装置は、図５及び図６の実施形態を参照して上で説明したものに類似し得る。スロット８０５は、チューブ制限プレート８０４の角度位置ごとに、チューブ８１２に対するスロットの所望の動作に従って変動するスロット幅を有することができる。例えば、各スロット８０５は、制限されないチューブ８１２内の流れ、又は完全に遮断されたチューブ８１２内の流れのいずれかに対応する、２つのスロット幅を含むことができる。代替的に、各スロットは、異なるレベルの流れ制限に対応する幅の範囲を有することができる。
【０１３０】
チューブ制限プレート８０４は、マルチポジションスイッチ８０３とインターロックすることができる位置決め特徴８０６を有することができる。位置決め特徴８０６は、輪郭形成された半径方向スロット８０５がそれらのそれぞれのポート８０２ａ、８０２ｂ、８０２ｃと適切に一直線になるように、ユーザが、チューブ制限プレート８０４をマルチポジションスイッチ８０３と、チューブ管理装置８０１内で整列させるのを補助することができる。加えて、位置決め特徴８０６は、スイッチの位置がチューブ管理装置８０１内の適切なチューブの状態を反映するように、マルチポジションスイッチ上の相補的な特徴に合致させることができる。いくつかの実施形態において、位置決め特徴８０６は、マルチポジションスイッチ８０３をチューブ制限プレート８０４に固定することができ、よって、スイッチを回転させたときに、それらが協調して移動する。
【０１３１】
チューブ管理装置８０１は、チューブ安定化プレート８０７を有することができる。チューブ安定化プレート８０７は、チューブがそこを通過することを可能にするために、チューブ貫通孔８１５を有することができる。いくつかの実施形態において、チューブ安定化プレート８０７内のチューブ貫通孔８１５のそれぞれの直径は、圧縮することなく各チューブの外側周囲に安全な嵌合を提供するために、当該孔を通過する対応するチューブの外径に等しくすること、又はほぼ等しくすることができる。チューブ安定化プレート８０７は、チューブ制限プレート８０４の起動又は移動がチューブを捻ること、再配向すること、又は移動させることができないように、チューブを適切な位置に保持することができる。
【０１３２】
チューブ管理装置８０１のチューブ８１２は、用途固有の要件を満たす任意の材料で作製することができる。チューブ８１２は、例えば、限定されないが、ＰＶＣ、高密度ポリエチレン、ナイロン、ラテックス、シリコーン、ポリウレタン、ＴＹＧＯＮ（登録商標）、又は任意の非反応性チューブ若しくはホースで作製することができる。図８に表されるように、チューブ８１２は、ポート８０２ａ、８０２ｂ、８０２ｃから延在させることができ、又はポート８０２ａ、８０２ｂ、８０２ｃ内で、若しくはその下で終端させることができる。チューブ８１２は、チューブ管理装置８０１に、例えばポート８０２ａ、８０２ｂ、８０２ｃ若しくは本体８０８に永続的に取り付けることができ、又はチューブ８１２は、取り外し可能及び／又は交換可能とすることができる。様々な実施形態に従って、チューブ８１２は、各手順の後に廃棄すること、及び多数の手順に対するチューブ管理装置８０１の再利用を可能にするために新しいチューブ８１２と交換することができる。
【０１３３】
上で説明した実施形態は、装置の構成に応じてチューブ内の流れを解放する、又は絞るように動作可能である、チューブ管理装置を含む。チューブ管理装置に加えて、本明細書で教示される流れ管理装置は、複数の第１の開口部と複数の第２の開口部との間の流れを可能にすること、又は遮断することができる。第１及び第２の開口部は、流体ポート又はチューブに接続して、液体、ガス、又は生物学的材料を搬送することができる。いくつかの実施形態において、第１の開口部及び第２の開口部は、固定された、若しくは移動可能な壁、プレート、又は液体、ガス、若しくは生物学的材料の通過を別様に阻止する他のバリア材料で画定することができる。加えて、例えば上で説明したチューブ管理装置と様々な開口部を通る流れを制御するためのシステムとの組み合わせを使用して、様々な実施形態を組み合わせること、及び交換することができる。流れ管理装置の複数の実施形態及び実現形態を下で説明する。
【０１３４】
図９Ａは、流れ管理装置９０１と、キャニスタ９１８と、安定化基部９１７とを含む、組織処理装置９００を例示する。流れ管理装置９０１は、ポート９０２と、マルチポジションスイッチとしての役割を果たすことができるハンドル９０３とを含むことができる。ハンドル９０３を移動させることによって、ユーザは、（例えば、医療用チューブから）ポート９０２への、及びキャニスタ９１８の中への流れを可能にすること、停止すること、又は妨げることができる。いくつかの実施形態において、キャニスタ９１８は、安定化基部９１７から分離し、そこに再度取り付けることができる。
【０１３５】
図９Ｂは、図９Ａの流れ管理装置９０１の破断図を例示し、図９Ｃは、本開示の様々な実施形態に従う流れ管理装置９０１の構成要素の部分図を例示する。流れ管理装置９０１は、第１のプレート９０４を通過する複数の第１の開口部９０５と、第２のプレート９０７を通過する複数の第２の開口部９１５とを含むことができる。第１のプレート９０４は、第２のプレート９０７に対して異なる回転位置に配置することができる。第１のプレート９０４のいくつかの位置では、複数の第１の開口部９０５のサブセットを複数の第２の開口部９１５のサブセットと流体連通した状態に配置して、ガス、流体、又は組織物質の第１のプレート９０４及び第２のプレート９０７の通過、したがって、処置システムに対する出入りを可能にすることができる。
【０１３６】
第１のプレート９０４は、プレートを互いに対して移動させて装置９０１を通る流れを制御することができるように、第２のプレート９０７に連結することができる。例えば、第１のプレート９０４及び第２のプレート９０７は、枢軸９１２及び保持ワッシャ９１０等の回転可能な接続を使用して連結することができる。第１のプレート９０４及び第２のプレート９０７を含む流れ管理装置９０１は、組織処理装置９００を封入するための蓋として作用することができる。第２のプレート９０７が基準（キャニスタ９１８等）に対して回転する間、第１のプレート９０４を固定することができる。いくつかの実施形態では、第１のプレート９０４が基準（キャニスタ９１８等）に対して回転する間、第２のプレート９０７を固定することができる。いくつかの実施形態では、第１のプレート９０４及び第２のプレート９０７の両方を基準（キャニスタ９１８等）に対して回転させることができる。いくつかの実施形態において、第１のプレート９０４及び第２のプレート９０７は、アセタール等の低摩擦ポリマーを含むことができる。
【０１３７】
図９Ｂでは第１及び第２のプレートが丸みのある外周を有する平面プレートとして表されているが、第１及び第２のプレートは、本明細書で説明される目的を妨げない任意の形状、寸法、又は厚さであり得ることが想定される。例えば、複数の第１の開口部及び複数の第２の開口部は、並進させること、回転させること、摺動させること、又は別様に互いに対して位置を変化させることができる壁又はバリア等の湾曲面に画定することができる。
【０１３８】
加えて、プレートは、そこを通過する開口部が整列されない限り、代替的に、流体の流れを妨げることができるバリア壁（複数可）と置き換えること、又は当該バリア壁として説明することができる。故に、本明細書で論じられる装置は、第１のバリア壁９０４を通過する複数の第１の開口部９０５と、第２のバリア壁９０７を通過する複数の第２の開口部９１５とを含むことができる。第１のバリア壁９０４は、第２のバリア壁９０７に対して異なる回転位置に配置することができる。第１のバリア壁９０４のいくつかの位置では、複数の第１の開口部９０５のサブセットを複数の第２の開口部９１５のサブセットと流体連通した状態に配置して、ガス、流体、又は組織物質の第１のバリア壁９０４及び第２のバリア壁９０７の通過、したがって、処置システムに対する出入りを可能にすることができる。
【０１３９】
複数の第１の開口部９０５又は複数の第２の開口部９１５のそれぞれは、封止部９０６によって端部を取り囲むことができる。封止部９０６は、Ｏリング、グロメット、又は任意の適切な封止要素とすることができる。いくつかの実施形態において、封止部（複数可）９０６は、熱可塑性エラストマー（ＴＰＥ）で形成することができ、また、ツインショット成型技法を使用して、第１のプレート９０４又は第２のプレート９０７と同時に成型することができる。封止部９０６は、バリアを作成して、ガス、流体、又は他の材料が第１のプレート９０４と第２のプレート９０７との間から漏れることを防止することができる。第１のプレート、第２のプレート、又はどちらも、図９Ｄに示されるように、封止部９０６に嵌合するようにサイズ決定された複数の凹状部分９１３を含むことができる。封止部９０６は、凹状部分９１３の中に配置することができる。封止部９０６が凹状部分９１３に配置されたときに、流れ管理装置９０１は、貯蔵状態にあり、当該貯蔵状態は、輸送又は貯蔵中等の、システムが長時間にわたって使用されていないときに、封止部９０６に圧縮力を与えることを防止することができる。封止部９０６を長期間にわたって圧縮を受けさせないことによって、封止部９０６の寿命を延ばすことができる。いくつかの実施形態では、流れ管理装置９０１が貯蔵状態にある間、どの第１の開口部９０５も任意の第２の開口部９１５と流体連通していない。図９Ｄでは、凹状部分９０６が第２のプレート９０７内にあるように例示されているが、凹状部分９０６が、第１のプレート９０４内にあり得ること、又は第１のプレート９０４及び第２のプレート９０７の中にあり得ることも想定される。
【０１４０】
第１のプレート９０４は、チューブ９１２を第１のプレート９０４に連結するために、ポート９０２を含むことができる。ポート９０２は、様々な構成を有することができる。様々な実施形態に従って、ポート９０２は、直線壁若しくは有刺であってもよく、ねじ付き若しくはねじ無しであってもよく、また、いかなる嵌合金具、ルアー嵌合金具、スエージ加工した嵌合金具、又は特定の用途に適した任意の他の種類のコネクタを有しなくてもよい。ポート９０２は、流れ管理装置９０１の本体から外へ延在するように表されているが、ポートはまた、ねじ付き若しくはねじ無しの孔若しくは凹部とすることもでき、又は表面から第１のプレート９０４の中へ内方に延在させることもできる。図９Ａでは４つのポートだけが表されているが、特定の用途に必要とされるチューブの数に合致するように、任意の数のポートを選択することができる。ガス、液体、化学溶液、及び生物組織が挙げられるが、これらに限定されない物質は、第１のプレート又は第２のプレートの位置に応じて、及び医療的手順の任意の特定の工程の要件に応じて、ポート９０２の中へ、及び外へ流れることができる。
【０１４１】
流れ管理装置９０１は、ユーザが第１のプレート９０４及び第２のプレート９０７の一方又は両方をより容易に回転させることを可能にするために、ハンドル９０３を含むことができる。ハンドル９０３は、第１のプレート９０４、第２のプレート９０７、又は両方と一体的に形成することができ、又は別個に形成し、取り付けることができる。
【０１４２】
いくつかの実施形態において、複数の第１の開口部９０５は、第１のプレート９０４に沿った１つ以上の線９０９に配向することができ、又は他の配設において、第１のプレート９０４上に位置付けることができる。いくつかの実施形態において、複数の第２の開口部９１５は、第２のプレート９０７に沿った１つ以上の線９１９ａ〜９１９ｄに配向することができ、又は他の適した配設において、第２のプレート９０７上に位置付けることができる。線９１９ａ〜９１９ｄのそれぞれは、例えば、図４を参照して上で説明したように、判定マトリックス４００の工程４０２、４０４、４０６、４０８のうちの１つに対応することができる。例えば、第１のプレート９０４又は第２のプレート９０７の位置は、４つの第１の開口部９０５を含む線９０９が２つの第２の開口部９１５を含む線９１９ａと整列するように調整することができる。この動作は、判定マトリックス４００の工程４０２について上で説明したように、２つの第１の開口部９０５を２つの第２の開口部９１５と流体連通した状態にする。線９０９は、判定マトリックスの他の工程にそれぞれ対応する他の線９１９ｂ〜９１９ｄと整列させることができる。
【０１４３】
図９Ａ〜図９Ｄに関して上で説明した流れ管理装置９０１は、２つのプレートを含み、また、第２のプレート９０７に対して第１のプレート９０４を回転させることによって流れを制限するように動作させることができる。本明細書の下で教示する他の実施形態において、流れ管理装置１０００又はシステムは、第１のプレートと第２のプレートとの間に挟まれた第３のプレートを含むことができる。第３のプレートの位置又は回転を変化させることによって、第１のプレート及び第２のプレートの開口部の間の流体の流れを可能にすること、又は遮断することができる。
【０１４４】
図１０Ａ及び図１０Ｂは、本開示の様々な実施形態に従う、流れ管理装置１０００の一部分の断面図を例示する。図１０Ａに示されるように、流れ管理装置１０００は、第１のプレート１００４と、第２のプレート１００７と、第３のプレート１００８とを含む。いくつかの実施形態において、第１のプレート１００４は、複数の第１の開口部１００５を含むことができ、第２のプレート１００７は、複数の第２の開口部１０１５を含むことができ、第３のプレートは１つ以上の第３の開口部１０２５を含むことができる。第３のプレート１００８を第１のプレート１００４及び第２のプレート１００７に対して異なる回転位置に配置することによって、第３の開口部１０２５を、第１の開口部１００５のサブセットと第２の開口部１０１５のサブセットとの間の流体連通を可能にするように構成することができる。
【０１４５】
加えて、プレートは、そこを通過する開口部が整列されない限り、代替的に、流体の流れを妨げることができるバリア壁（複数可）と置き換えること、又は当該バリア壁として説明することができる。故に、流れ管理装置１０００は、第１のバリア壁１００４と、第２のバリア壁１００７と、第３のバリア壁１００８とを含む。いくつかの実施形態において、第１のバリア壁１００４は、複数の第１の開口部１００５を含むことができ、第２のバリア壁１００７は、複数の第２の開口部１０１５を含むことができ、第３のバリア壁は、１つ以上の第３の開口部１０２５を含むことができる。第３のバリア壁１００８を第１のバリア壁１００４及び第２のバリア壁１００７に対して異なる回転位置の配置にすることによって、第３の開口部１０２５を、第１の開口部１００５のサブセットと第２の開口部１０１５のサブセットとの間の流体連通を可能にするように構成することができる。
【０１４６】
様々な実施形態に従って、第３のプレート１００８は円板形状とすることができ、第３のプレート１００８の１つ以上の第３の開口部１０２５は、円板上の同じ半径方向位置に、又は異なる半径方向位置に配設することができる。いくつかの実施形態において、第３のプレート１００８は、第１のプレート１００４及び第２のプレート１００７が固定されている間、回転させることができる。
【０１４７】
いくつかの実施形態において、１つ以上の第３の開口部１０２５は、封止部１００６によって第３のプレート１００８の片側又は両側を取り囲むことができる。いくつかの実施形態において、封止部１００６は、Ｏリング、グロメット、又は任意の適切な封止要素とすることができる。封止部１００６は、バリアを作成して、ガス、流体、又は他の材料が第１のプレート１００４と第３のプレート１００８との間、又は第２のプレート１００７と第３のプレート１００８との間から漏れることを防止することができる。いくつかの実施形態において、第１のプレート１００４、第２のプレート１００７、又は第３のプレート１００８は、単独で、又は任意の組み合わせで、封止部１００６に嵌合するようにサイズ決定された複数の凹状部分を含むことができる。凹状部分は、図９Ｄに関して上で説明したように動作して、封止部１００６が長期に圧縮されないことから保護することができる。いくつかの実施形態では、流れ管理装置１０００が貯蔵状態にある間、どの第１の開口部１００５も、第３のプレート１００８に配置された第３の開口部１０２５と、又は任意の第２の開口部１０１５と流体連通していない。
【０１４８】
いくつかの実施形態において、第１のプレート１００４は、チューブ１０１２を、図９Ａを参照して上で説明したポート９０２に類似する第１のプレート１００４に連結するために、１つ以上のポート１００２を含むことができる。１つ以上のポートのそれぞれは、第１のプレート１００４の複数の第１の開口部１００５のうちの１つと流体連通することができる。いくつかの実施形態において、第１のプレート１００４は、側壁１０１８に連結して、封入された組織処理装置を形成することができる。
【０１４９】
マルチポジションスイッチ１００３は、第１のプレート１００４及び第２のプレート１００７に対する第３のプレート１００８の回転を生じさせることができる。マルチポジションスイッチ１００３は、回転するノブ又はダイヤルを含むことができ、又はユーザが把握して回転を生じさせることができるハンドルを含むことができる。
【０１５０】
１つの実施形態において、装置は、フィルタ、膜、及び／又は固体壁によって分離された少なくとも２つのチャンバを含むことができる。２つ以上のプレートの間に様々な開口部を整列させることによって、チャンバへのアクセスを制御することができる。チャンバは、横並び構成で、又は１つのチャンバがもう１つのチャンバの上にある状態で、隣同士に位置付けることができる。代替的に、及び下で説明するように、第１のチャンバを第２のチャンバ内に位置付けることができる。
【０１５１】
図１０Ａでは、第１の開口部１００５、第２の開口部１０１５、及び第３の開口部１０２５によって形成された、組み合わせた開口部を使用して、例えば真空ポンプ又は施設に提供された院内の真空を使用して容器１０１８の内部を真空に引くことができる。真空は、他のチャンバの中へ方向付けられることができる。様々な実施形態に従って、第２のプレート１００７は、フレームとして作用して、内側メッシュ１０２０を支持することができる。内側メッシュ１０２０は、組織製品等の材料を含むことができ、一方で、流体が通過することを可能にする。いくつかの実施形態において、移送ポートは、容器の内部容積又はメッシュと流体連通することができる。いくつかの実施形態において、移送ポートは、内側メッシュ１０２０内に画定された内側チャンバと流体連通することができる。代替的又は追加的に、本明細書で説明される装置は、内側メッシュ１０２０の外側で容器内部と流体連通する追加的な移送ポートを含むことができる。
【０１５２】
図１０Ｂでは、第１の開口部１００５、第２の開口部１０１５、及び第３の開口部１０２５によって形成された、組み合わせた開口部を使用して、リンガー溶液等の流体、又は脂肪吸引と関連付けられた組織（すなわち、脂肪吸引に由来する脂肪組織）等の組織を輸送することができる。いくつかの実施形態において、第２の開口部１０１５は、第２の開口部１０１５を通って入る組織製品が内側チャンバ内で捕捉されるように、内側チャンバに接続することができる。いくつかの実施形態において、第２の開口部１０１５は、外部チャンバ内の流体を第２の開口部１０１５を通して取り出すことができるように、外側チャンバに接続することができる。
【０１５３】
図１０Ａ及び図１０Ｂに示されるように、第２の開口部の一部分は、流体、ガス、及び／又は固体の流れを内側及び／又は外側チャンバの中へ方向付ける経路を画定することができる。図１０Ｂに示されるように、第２の開口部は、材料を装置内の所望の位置に方向付ける、装置内部の経路を画定することができる。１つの実施形態において、第２の開口部は、材料を装置の内側チャンバの中へ方向付けるために、角度付き構成を有する。図１０Ｂに示されるように、真空チューブ１０１２は、第２のプレート１００７に連結して、装置内の所望の位置への経路を延在させることができる。
【０１５４】
図１１Ａ及び１１Ｂは、それぞれ、本開示のいくつかの実施形態に従う、一体型流れ管理装置を含む組織処置システム１１００の破断図及び分解図を例示する。流れ管理装置は、図１０Ａ又は図１０Ｂに関して上で説明した流れ管理装置１０００に類似する。組織処置システム１１００は、頂部カバー１１２２と、回転ハンドル１１２１と、マルチポジションスイッチ１１０３と、そこを通る複数の第１の開口部１１０５を含む第１のプレート１１０４と、そこを通る複数の第２の開口部１１１５を含む第２のプレート１１０７と、そこを通る１つ以上の第３の開口部１１２５を含む第３のプレート１１０８と、容器１１１８と、フィルタ１１２３とを含むことができる。組み立てると、いくつかの実施形態において、組織処置システム１１００を使用して、吸引、灌流、混合、分離、又は移送等の工程を含む、脂肪組織を処理するために使用することができる。第３のプレート１１０８に連結されたマルチポジションスイッチ１１０３を動作させることによって、第３の開口部１１２５を、第１の開口部１１０５のサブセットと第２の開口部１１１５のサブセットとの間の流体連通を可能にするように位置付けることができる。いくつかの実施形態において、マルチポジションスイッチ１１０３の第１の位置への配置は、第１の開口部１１０５のサブセットを、システム１１００の内側チャンバ１１４０と流体連通する第２の開口部１１１５のサブセットに接続することができる。いくつかの実施形態において、マルチポジションスイッチ１１０３の第２の位置への配置は、第１の開口部１１０５のサブセットを、システム１１００の外側チャンバ１１４１と流体連通する第２の開口部１１１５のサブセットに接続することができる。
【０１５５】
いくつかの実施形態において、頂部カバー１１２２は、スナップ嵌め又は接着剤を使用して容器１１１８に取り付けて、組織処置システム１１００の内部の無菌状態を促進することができる。いくつかの実施形態において、頂部カバー１１２２は、第１の開口部１１０５を装置の外部に接続するために、開口部又は凹部１１２４を含むことができる。いくつかの実施形態において、頂部カバー１１２２は、マルチポジションスイッチ１１０３の上に嵌合すること、又はそれを挟むことができる。
【０１５６】
装置内の組織を洗浄した後には、汚染を避け、また、装置内の無菌状態を維持するために、洗浄した組織への不用意なアクセスを可能にしないことが重要であり得る。いくつかの実施形態において、第２のプレート１１０７は、容器１１１８に永続的に固定することができる。第２のプレート１１０７を容器１１１８に固定することによって、汚染物質が装置に進入することを阻止する封止部を形成することができる。いくつかの実施形態において、第２のプレート１１０７は、接着剤、ヒートシール、又はねじ等の締結具を使用して、容器１１１８に固定することができる。
【０１５７】
様々な実施形態に従って、第３のプレート１１０８は円板形状とすることができ、第３のプレートの１つ以上の第３の開口部１１２５は、円板上の同じ半径方向位置に、又は異なる半径方向位置に配設することができる。いくつかの実施形態において、第３のプレート１１０８は、第１のプレート１１０４及び第２のプレート１１０７が固定されている間、回転させることができる。いくつかの実施形態において、第１のプレート１１０４及び第２のプレート１１０７は、それらの間で第３のプレート１１０８を挟む、又は保持するように連結される。図１０Ａを参照して上で論じたように、１つ以上の第３の開口部１１２５は、封止部によって第３のプレート１１０８の片側又は両側を取り囲むことができる。
【０１５８】
回転ハンドル１１２１は、組織処置システム１１００の中心を通って延在させて、フィルタ１１２３又は容器１１１８内の混合ブレード（図示せず）と係合させることができる。回転ハンドル１１２１を回転させることによって、フィルタ１１２３又は容器１１１８内の組織を機械的に処理して、組織処置レジメンの一部として、組織の成分の洗浄又は分離を可能にすることができる。いくつかの実施形態において、フィルタ１１２３は、図１６Ａ〜図１８Ｂを参照して下で更に詳細に説明されるように、フィルタ構造体とすることができる。例示的な一実施形態において、フィルタ１１２３は、分割壁又はバリアとして作用して、外側チャンバ１１４１から内側チャンバ１１４０を分離することができる。
【０１５９】
いくつかの実施形態において、第１のプレート１１０４は、図９Ａを参照して上で説明したポート９０２に類似する第１のプレート１１０４の第１の開口部１１０５にチューブを連結するために、１つ以上のポートを含むことができる。いくつかの実施形態において、回転ハンドル１１２１は、流体、ガス、又は組織成分がフィルタ１１２１又は容器１１１８を出ることを阻止する封止部１１２６と係合することができる。様々な実施形態に従って、封止部１１２６は、回転ハンドル１１２１に、又は第２のプレート１１０７に一体化することができる。
【０１６０】
いくつかの実施形態において、マルチポジションスイッチ１１０３は、第１のプレート１１０４及び第２のプレート１１０７に対する第３のプレート１１０８の回転を生じさせることができる。マルチポジションスイッチ１１０３は、回転するノブ又はダイヤルを含むことができ、又は回転を生じさせるユーザが把握することができるハンドルを含むことができる。いくつかの実施形態において、マルチポジションスイッチ１１０３の一部分は、第３のプレート１１０８の中央孔に相補的な形状を有することができる。例えば、第３のプレート１１０８の中央孔は、五角形又は他の多角形として成形することができ、マルチポジションスイッチ１１０３の一部分は、第３のプレート１１０８の孔内に嵌合する五角形として成形することができる。いくつかの実施形態において、マルチポジションスイッチ１１０３の一部分及び第３のプレート１１０８の中央孔の相補的な形状は、マルチポジションスイッチ１１０３が、第３のプレート１１０８に係合し、回転させることを可能にすることができる。
【０１６１】
いくつかの実施形態において、第２のプレート１１０７は、スナップ嵌め又は接着嵌合を使用して、容器１１１８に連結することができる。
【０１６２】
図１２Ａ及び図１２Ｂは、それぞれ、一体型流れ管理装置を含む組織処置システム１１００’の代替の実施形態の破断図及び分解図を示す。流れ管理装置は、図１０Ａ又は図１０Ｂに関して上で説明した流れ管理装置に類似する。図１１Ａ〜図１１Ｂの組織処置システム１１００と図１２Ａ及び１２Ｂの組織処置システム１１００’との間の主な違いは、構成要素の一体化及び製造に関する。組織処置システム１１００’は、第１のプレート１１０３、第２のプレート１１０７、及び第３のプレート１１０８を含む弁アセンブリ１１１４を含むことができる。組織処置システム１１００’はまた、容器１１１８の内部と、第２のプレート１１０７の第２の開口部１１１５とを接続する複数の第３の開口部１１２５を含む、フィルタ頂部１１３７も含むことができる。第３のプレート１１０８に連結されたマルチポジションスイッチ１１０３を動作させることによって、第３の開口部１１２５を、第１の開口部１１０５のサブセットと第２の開口部１１１５のサブセットとの間の流体連通を可能にするように位置付けることができ、それによって、第３の開口部１１３５のサブセットを第１の開口部１１０５のサブセットと流体連通した状態に配置する。
【０１６３】
装置内の組織を洗浄した後には、汚染を避け、また、装置内の無菌状態を維持するために、洗浄した組織への不用意なアクセスを可能にしないことが重要であり得る。いくつかの実施形態において、フィルタ頂部１１３７、頂部カバー１１２２、又は両方を、容器１１１８に永続的に固定することができる。フィルタ頂部１１３７及び容器１１１８を固定することによって、汚染物質が装置に進入することを阻止する、封止部を形成することができる。いくつかの実施形態において、フィルタ頂部１１３７、頂部カバー１１２２、又は両方を、接着剤、ヒートシール、又はねじ等の締結具を使用して、容器１１１８に固定することができる。
【０１６４】
フィルタ頂部１１３７は、スナップ嵌め又は接着剤嵌合を使用して、フィルタ１１２３に連結することができる。いくつかの実施形態において、フィルタアセンブリ１１１４は、交換可能又は互換性とすることができる。いくつかの実施形態において、組織処置装置１１００’は、異なる組の組織処置プロトコルに対応するように構成される多数のフィルタアセンブリ１１１４を備えることができる。そのような実施形態において、ユーザは、手順の開始時にそれらの用途に合うようにフィルタアセンブリ１１１４を選択することができ、また、フィルタアセンブリ１１１４、マルチポジションスイッチ１１０３、回転ハンドル１１２１、及び頂部カバー１１２２を適所にスナップ留めすることができる。
【０１６５】
上で説明した実施形態は、第１の開口部と第２の開口部との間の流れを制限する、又は可能にする平面プレート等の、１つ以上の壁又はバリアを含む。図１３Ａ〜図１４Ｂに関して下で説明される代替の実施形態では、円筒スピンドル又はダイヤフラム値等の異なる構成要素が、第１及び第２の開口部の間の流れを制限する能力を提供する。
【０１６６】
図１３Ａは、本開示の様々な実施形態に従う、スピンドルを含む流れ管理装置１３００を表す。図１３Ｂは、流れ管理装置１３００の断面図を例示する。流れ管理装置１３００は、複数の第１の開口部１３０２及び複数の第２の開口部１３１２と、マルチポジションスイッチ１３０３に連結されたスピンドル１３０７と、複数の第３の開口部１３１５とを有する本体１３０１を含む。マルチポジションスイッチ１３０３を動作させることによって、スピンドル１３０７を方向１３２０に回転させることができる。マルチポジションスイッチ１３０３の動作は、第１の開口部１３０２のサブセットを第２の開口部１３１２のサブセットと流体連通した状態に配置するように、第３の開口部１３１５のいくつか又は全てを位置付けることができる。
【０１６７】
いくつかの実施形態において、複数の第３の開口部１３１５は、スピンドル１３０７の各軸方向位置に２つ以上の開口部を含むことができる。そのような実施形態において、同じ軸方向位置の異なる開口部は、異なる方位軌道を有することができる。スピンドル１３０７に沿った同じ軸方向位置の多数の開口部の使用は、所与のスピンドル１３０７に関する可能な接続構成の数を増加させることができる。スピンドル１３０７の回転配向に従って、第３の開口部１３１５のそれぞれは、第１の開口部１３０２の１つを第２の開口部１３１２の１つに接続することができる。
【０１６８】
いくつかの実施形態において、封止部１３０６は、スピンドル１３０７と本体１３０１との間の流体、ガス、又は組織物質の通過を妨げるように、スピンドル１３０７に沿った位置に配置することができる。封止部１３０６は、Ｏリング、グロメット、又はガスケットとすることができ、また、ゴム、ポリマー、又は任意の他の適切な材料で作製することができる。いくつかの実施形態において、封止部１３０６は、ツインショット成型等の成型技法を使用して、熱可塑性エラストマーで形成することができる。
【０１６９】
いくつかの実施形態において、マルチポジションスイッチ１３０３は、スピンドル１３０７に直接一体化することができ、又はスピンドル１３０７を回転させる別個の装置とすることができる。いくつかの実施形態において、マルチポジションスイッチ１３０３は、手動で動作させることができる。いくつかの実施形態において、マルチポジションスイッチ１３０３は、スパナ等の工具の使用が、マルチポジションスイッチ１３０３を設定する際のユーザのてこの作用を高めることを可能にするように最適に成形することができる。図１３Ａには、マルチポジションスイッチ１３０３を方向１３２０に回転させるように示されているが、いくつかの実施形態において、マルチポジションスイッチ１３０３は、いずれの方向にも回転させることができる。
【０１７０】
本体１３０１は、様々な異なるチューブ又はホースへの接続を可能にする、第１の開口部１３０５又は第２の開口部１３１５に隣接するポート又は接続部を含むことができる。例えば、第１の開口部１３０５又は第２の開口部１３１５に隣接するポート又は接続部は、鉤、ねじ山、嵌合金具、又は他の適切なコネクタを含むことができる。
【０１７１】
図１４Ａ及び図１４Ｂは、それぞれ、本開示の様々な実施形態による、開位置及び閉位置におけるダイヤフラム弁を含む流れ管理装置１４０１を例示する。流れ管理装置１４０１は、回転プレート１４０４と、１つ以上のダイヤフラムユニット１４５０とを含むことができる。ダイヤフラムユニット１４５０は、可撓性ダイヤフラム１４５５と、内側チャンバ１４５１とを含むことができる。可撓性ダイヤフラム１４５５は、流れ管理装置１４０１の流体経路を開閉するように作動させることができる。いくつかの実施形態において、ダイヤフラム１４５０は、シリコーン等の材料を含むことができる。いくつかの実施形態において、ダイヤフラム１４５５は、ボス１４５６を含むことができる。
【０１７２】
開位置において、ダイヤフラムユニット１４５０は、第１の開口部１４０５、内側チャンバ１４５１、及び第２の開口部１４１５を流体連通した状態に配置する。閉位置において、ダイヤフラムユニット１４５０の第１の開口部１４０５は、もはや内側チャンバ１４５１又は第２の開口部１４１５と流体連通しない。
【０１７３】
回転プレート１４０４は、１つ以上の突起１４１４を含むことができる。いくつかの実施形態において、回転プレート１４０４は、ダイヤフラムユニット１４５０に対して異なる回転位置まで回転させることができる。回転プレート１４０４を回転させることによって、突起１４１４をダイヤフラムユニット１４５０の下側に位置付けることができる。突起は、可撓性ダイヤフラム１４５５を上方に押し付けて、ボス１４５６でダイヤフラムユニット１４５０を通過する１つ以上の第１の開口部１４０５を封止し、それによって、ダイヤフラムユニット１４５０を閉位置に配置することができる。１つ以上の第１の開口部１４０５を封止することによって、ダイヤフラム１４５０は、第１の開口部１４０５と第２の開口部１４１５との間の流体連通を遮断することができる。
【０１７４】
いくつかの実施形態において、制御されるべき流体接続部ごとに別個のダイヤフラムユニット１４５０を供給することができる。いくつかの実施形態において、単一のダイヤフラムユニットは、２つ以上のボス１４５６、２つ以上の第１の開口部１４０５、又は２つ以上の第２の開口部１４１５を含むことができる。いくつかの実施形態において、回転プレート１４０４は、回転プレート１４０４の位置ごとの多数のダイヤフラムユニット１４５０の制御を同時に提供するために、プレート１４０４上の異なる方位位置において、小さいパターンの突起１４１４を有することができる。
【０１７５】
図１５Ａには、様々な実施形態に従う、タービン１５２０を含む組織処置システム１５３０を例示する。タービン１５２０は、混合ブレード又はパドル１５３４を含む混合シャフト１５３５を回転させて、組織処置システム内部の組織を攪拌することができる。図１５Ｃに示されるように、タービン１５２０は、中央シャフト１５２１及びローターブレード１５２８を有するローターを含むことができる。いくつかの実施形態において、タービン１５２０は、吸気口１５２２と、排気口１５２５とを有することができる。排気口１５２５を真空ポンプ等の負圧源に取り付けると、ローターブレード１５２８が移動し、したがって、中央シャフト１５２１を回転させる。
【０１７６】
図１５Ｂに示されるように、中央シャフト１５２１の端部１５２６は、中央シャフト１５２１及び混合シャフト１５３５が協調して回転するように、混合シャフト１５３５と係合させることができる。様々な実施形態に従って、中央シャフト１５２１と混合シャフト１５３５との係合は、任意の適切な形態をとることができる。例えば、図１５Ｂに示されるように、中央シャフト１５２１の端部１５２６は、混合シャフト１５３５上の六角形の延在部に合致する、六角形の切り欠きを有することができる。正方形、星形、及び他の多角形を含む、他の形状も可能である。いくつかの実施形態において、タービン１５２０は、組織処置システム１５３０の基部から分離することができ、回転ハンドル等の手動操作式回転システムをその場所に設置することができる。いくつかの実施形態において、分離可能なタービン１５２０は、多数の組織処置キャニスタ又は容器を有する多数の組織処理手順に対する単一のタービン１５２０の使用を可能にするために、滅菌可能又は再使用可能とすることができる。いくつかの実施形態において、タービン１５２０は、使い捨てとすることができる。
【０１７７】
洗浄流体及び脂肪又は他の組織を含む溶液は、粘性があり得るので、組織を手動で攪拌しているユーザは、洗浄シーケンスが完了する前に疲労する場合がある。加えて、攪拌は、ユーザが洗浄シーケンスの全体を通して回転ハンドルの回転速度を変動させた場合に、むらが生じ得る。タービン１５２０を使用した混合シャフト１５３５の回転は、混合のむらを改善することができる。例えば、排気口１５２５において印加される一定レベルの負圧は、混合シャフト１５３５を一定の回転速度で回転させることができる。加えて、タービン１５２０は、施術者の要求に従って、むらのない速度で長時間動作させることができる。
【０１７８】
図１５Ｄは、より小さい歯車１５４０が中央シャフト１５２１に取り付けられる、タービンの変形例を例示する。より小さい歯車１５４０の歯は、混合シャフト１５３５に取り付けられたより大きい歯車１５４１上の歯と係合することができる。いくつかの実施形態において、より小さい歯車１５４０及びより大きい歯車１５４１のサイズ比は、脂肪組織を洗浄するための混合シャフト１５３５の毎分回転数を最適化するように選択することができる。いくつかの実施形態において、組織処置システム１５３０は、施術者が、歯車比、したがって、回転速度を所望のレベルに調整することを可能にするために、多数の取り外し可能かつ取り付け可能なより小さい歯車１５４０又はより大きい歯車１５４１を含むことができる。
【０１７９】
図１６は、本開示の様々な実施形態に従う、容積測定装置１６１０を含む組織処置システム１６００を例示する。いくつかの実施形態において、容積測定装置１６１０は、ばね１６２０と、針ゲージ１６１２とを含むことができる。様々な実施形態に従って、ばね１６２０は、所与の印加力に対して特定の距離だけ圧縮するように較正することができる。ばね１６２０は、組織を組織処置システム内で保持する容器の下側に配置することができる。組織処置システム１６００内の組織の所与の重量に対して、ばね１６２０を所定の距離だけ圧縮することができ、針ゲージ１６１２は、存在する組織の質量を示すことができる。いくつかの実施形態において、針ゲージ１６１２は、組織処置システム１６００の外壁のウインドウ１６１４を通して視認することができる。いくつかの実施形態において、針ゲージ１６１２は、スケール１６１６上の値を示すことができる。スケール１６１６は、質量単位又は容積単位のラベルを付すことができる。
【０１８０】
図１７Ａ及び図１７Ｂは、本明細書で説明される装置及びシステムの第１及び第２の部分又はチャンバを分割することができるフィルタ構造体の１つの実施形態を例示する。フィルタ構造体によって画定される分割壁は、構造的支持体を提供するフレーム部材１７２５を含むことができる。フレーム部材１７２５は、剛性を提供する材料で形成することができ、また、固体材料から形成される。１つの態様において、フレーム部材１７２５は、液体不浸透性材料で形成される。フレーム部材１７２５は、装置の頂部分と嵌合すること、又はそれと一体的に形成することができる。例えば、フレーム部材１７２５は、図１１Ａを参照して上で説明したように、第２のプレート１１０７に嵌合すること、又はそれと一体的に形成することができる。フレーム部材１７２５の底部分１７２６は、装置の底部分に隣接する装置の内側チャンバ内から材料を取り出すための移送ポート１７３０を画定することができる。１つの態様において、フレーム部材１７２５は、装置の内部の頂部分から装置の内部の底部まで延在する。いくつかの実施形態において、フレーム部材１７２５は、フィルタ１７１０又はメッシュ壁の上部境界を取り囲むことができる。追加的な実施形態において、フレーム部材１７２５は、メッシュ壁の側壁の少なくとも一部分に沿って、メッシュ壁の底部分まで延在することができる。
【０１８１】
フレーム部材１７２５は、フレーム部材によって画定されたウインドウ１７２７を含むことができる。様々なフィルタ１７１０をフレーム部材と嵌合して、装置の内側及び外側チャンバの間からの液体及びガスの移動を可能にすることができる。フィルタ１７１０は、１つ以上のウインドウ１７２７内に嵌合することができる。例えば、図１７Ｂに示されるように、フレーム部材の頂部分と底部分との間に画定されたウインドウは、フィルタ１７１０を含むことができる。フィルタ１７１０は、装置の第１及び第２のチャンバを分割する分割壁の一部分を画定することができる。１つの実施形態において、フィルタ及び／又はフィルタウインドウは、フレーム部材の最上位部分及び／又は最下位部分まで延在しない。代替的に、単一のフィルタ１７１０は、フレーム部材内に着座させることができる。いくつかの実施形態において、フィルタ１７１０は、第２のチャンバから第１のチャンバを分割するように作用する、フレーム又はフレーム部材によって支持されたメッシュ壁とすることができる。
【０１８２】
いくつかの実施形態において、図１７Ａに示されるように、メッシュフィルタ１７１０は、円錐形状を有する。種々の実施形態において、メッシュフィルタ１７１０の狭端部は、先端又は継ぎ目線まで到達し得、又はメッシュフィルタ１７１０は、フラットパネルを底部に有することができる。いくつかの実施形態において、メッシュフィルタ１７１０の円錐形状は、脂肪組織又は他の組織成分が固着し得る領域を滑らかにすることができる。図１７Ｂに示されるように、メッシュフィルタ１７２０はまた、より大きい形態及び安定性をメッシュフィルタ１７２０に提供するために、上部構造体１７２５も含むことができる。いくつかの実施形態において、フレーム部材の上部構造体１７２５は、オーバーモールドプラスチックとすることができる。いくつかの実施形態において、メッシュフィルタ１７２０は、一体型移送ポート１７３０を含むことができる。移送ポート１７３０は、洗浄、分離、及び混合サイクルが完了した後に、組織処置システムから組織を抽出するために使用することができる。
【０１８３】
図１７Ｃは、本開示の様々な実施形態に従う直線壁メッシュフィルタを例示する。直線壁メッシュフィルタの使用は、シャフトの頂部から底部まで等しい長さの混合ブレードの使用を可能にすることができる。メッシュフィルタ１７１０のフレーム部材１７２５は、抽出中に、「スキージ」効果を促進して、材料をメッシュフィルタ１７１０から取り出し、無駄を低減させるのを補助することができる。いくつかの実施形態において、フレーム部材１７２０は、メッシュフィルタ１７１０内の含有物の視認性を向上させるために、透明材料を含むことができる。
【０１８４】
図１８Ａ及び１８Ｂは、それぞれ、本開示の様々な実施形態による、分解した、及び組み立てたフィルタリング構造体１８１０を例示する。フィルタ構造体１８１０は、フレーム部材１８５０と、フィルタ１８１５とを含むことができる。フレーム部材１８５０は、１つ以上のウインドウ１８２７を含むことができる。いくつかの実施形態において、フィルタ１８１５は、ウインドウ１８２７内に嵌合することができる。
【０１８５】
いくつかの実施形態において、フィルタ１８１５は、フレーム部材１８５０に対してフィルタを適所に保持するために、カットスルー孔１８１６を含むことができる。いくつかの実施形態において、フレーム部材１８５０は、カットスルー孔１８１６と係合し、フィルタ１８１５を位置付けるために、ボス特徴１８５６又は他のキャッチ特徴を含むことができる。様々な実施形態に従って、フィルタ１８１５の取り出した部分１８１８がフレーム部材１８５０の固体部分１８５８と整列するように、フィルタ１８１５を切断して、フレーム部材１８５０に嵌合することができる。いくつかの実施形態において、固体部分１８５８は、フレーム部材１８５０からの延在部を備える。フレーム部材１８５０は、フィルタ１８１５の上部境界を取り囲むことができ、また、メッシュ壁の底部分へのメッシュ壁の側壁の少なくとも一部分に沿った延在部として、多数の固体部分１８５８を有することができる。様々な実施形態に従って、フィルタ１８１５は、合成又は天然のメッシュ状材料を含むことができる。
【０１８６】
フィルタ構造体１８１０は、濾過構造の底部の近くに移送ポート１８６０を含むことができる。従来のシステムにおいて、組織処置システムからの洗浄した組織の取り出しは、概して、組織処置システムを逆転させて、組織を装置の頂部の入口／出口ポートに近接させることが必要であった。この事例において、装置の逆転は、取り付けたチューブから装置を完全に接続解除し、施術者によって不自然に逆さまに保持することが必要であるので、望ましくない。代替的に、延長チューブを有する別個のポートを使用して、洗浄した組織を装置から抽出していた。この事例において、チューブは、典型的に、混合ブレードの運動の妨げになり、チューブの近くにせき止められた組織は、適切に洗浄又は混合されなかった。本開示の実施形態において、移送ポート１８６０は、容器の底部を通しての、又はその近くでの、組織処置システムからの組織の取り出しを可能にすることができる。組織は、重力によって、又は負圧の印加を通して、移送ポート１８６０の中へ吸い込むことができる。いくつかの実施形態では、移送ポート１８６０を使用して、流体、ガス、若しくは固体を抽出することができ、又は流体、ガス、若しくは固体を挿入することができる。特定の実施形態において、移送ポート１８６０は、図１１Ａ及び１２Ａを参照して上で説明したように、組織処置装置の内側チャンバと流体連通することができる。他の実施形態において、移送ポート１８６０は、組織処置装置の外側チャンバと流体連通することができる。いくつかの実施形態において、移送ポート１８６０の一部分は、様々なサイズのシリンジ、ルアーロック、又は任意の他の適切なコネクタ１８６１と係合する能力を持つことができる。
【０１８７】
図１８Ｃは、本明細書で説明される様々な実施形態に従う、フィルタ構造体１８１０を含む組織処置システム１８００を例示する。組織処置システム１８００は、複数のポート１８０２と、１つ以上の混合ブレード１８３０と、基部１８７０と、フィルタ構造体１８１０とを含むことができる。
【０１８８】
図１８Ａ〜図１８Ｂを参照して上で説明したように、フィルタ構造体は、組織処置システム１８００の第１及び第２の部分又はチャンバを分割することができる。フィルタ構造体１８１０によって画定された分割壁は、構造的支持体を提供するフレーム部材１８５０を含むことができる。種々の実施形態において、フレーム部材１８５０は、装置の頂部分と嵌合すること、又はそれと一体的に形成することができる。例えば、フレーム部材１８５０は、図１１Ａを参照して上で説明したように、第２のプレート１１０７と嵌合すること、又はそれと一体的に形成することができる。いくつかの実施形態において、移送ポート１８６０を含む装置のフィルタ構造体、頂部分、及び底部部分は、装置の１つの内部壁の中に組み込むことができる。フレーム部材１８５０の底部分は、装置の底部分に隣接する装置の内側チャンバ内から材料を取り出すための移送ポート１８６０を画定することができる。１つの態様において、フレーム部材１８５０は、装置の内部の頂部分から装置の内部の底部まで延在する。いくつかの実施形態において、フレーム部材１８５０は、フィルタ１８１５又はメッシュ壁の上部境界を取り囲むことができる。追加的な実施形態において、フレーム部材１８５０は、メッシュ壁の側壁の少なくとも一部分に沿って、メッシュ壁の底部分まで延在することができる。
【０１８９】
ハンドル１８０４を動作させて、混合ブレード（複数可）１８３０を使用して組織を適切に混合及び洗浄するために印加され手動力は、いくつかの形態の組織にとって重要であり得る。典型的なセットアップにおいて、組織の洗浄及び混合は、組織抽出等の外科的手順の他の工程が既に行われた後に生じることになる。動作の途中で、外科医又は施術者が身に着けている検査用手袋は、装置を転倒させることなくハンドルを把持し、動作させることを困難し得る、滑り易い性質の異物又は流体を含む場合がある。様々な実施形態に従って、組織処置システム１８００は、組織の混合及び洗浄中の装置の安定性を改善し、かつその転倒又は移動を防止するために、幅広の基部１８７０（又は図９Ａの９１７）をシステムの底部に含むことができる。いくつかの実施形態において、使用中に組織処置システム１８００が滑る又は横滑りすることを防止するために、幅広の基部１８７０、９１７の少なくとも一部分の下側は、高摩擦の、ざらざらの、又はゴム等の粘着性の物質を含むことができる。いくつかの実施形態において、幅広の基部１８７０、９１７は、追加的な重量を基部に提供するために、流体、金属、又は他の高密度材料を含むことができる。
【０１９０】
幅広の基部は、いくつかの固有の構成で例示されているが、基部は、装置の安定性を維持すること、及び偶発的な転倒又は移動を防止すること、のうちの任意の１つ以上を達成するように修正することができることを理解されたい。基部は、裾広がりの外向きの区間、又は他の構成（例えば、箱、一連の延在部、又は多数の脚部）を含むことができる。基部は、例えば、処置システムの容器の最下部分の最大幅よりも１０％、２０％、３０％、４０％、又はそれ以上広い、又は処置システムの頂部の最大幅よりも１０％、２０％、３０％、４０％、又はそれ以上広い、踏面又は最大幅を有する、拡幅区間によって画定する（それによって、トップヘビー又は不安定な構造を防止する）ことができる。
【０１９１】
いくつかの実施形態において、組織処置装置１８００は、マルチポジションスイッチ１８０６を含むことができる。マルチポジションスイッチは、図９Ａ〜図１２Ｂを参照して上で説明したように、第１の開口部の異なるサブセットを第２の開口部のサブセットと流体連通した状態に配置するように動作させることができる。
【０１９２】
図１９Ａは、本開示の様々な実施形態に従う、組織処置システムで使用するための円錐フィルタ構造体１９１０の分解図を例示する。特定の処置システムと併せて例示されているが、フィルタ構造体は、本明細書で説明される上述した組織処置システムのいずれかと共に組み込むことができる。下で更に論じられるように、フィルタ構造体は、流体又は選択されたサイズの破片の流れを可能にし、一方で、処置及び／又は移植するべき組織を維持する、フィルタリング部分又はメッシュ構造体を含むことができる。加えて、構造体は、フレームを含み、これは、構造体を支持するために、剛性の、半剛性の、又は他の強固な材料を含むことができる。フレーム及びフィルタリング部分又はメッシュは、共に重要な利点を提供する。
【０１９３】
例えば、ポリマーメッシュ等の既知のフィルタは、特に激しい洗浄又は移送過程によって破損する傾向があり得る。故に、フレームは、その様々な可能な構成で、外科的処理中に破損する傾向がより少ない、より堅牢な構造を可能にする。加えて、フィルタは、処置システムの底部に向かって、又は当該底部まで完全に延在することができる。処置システムの底部まで延在することで、フレームの支持側壁を形成することを可能にすることができ、また、システムの底部壁によるフィルタの更なる支持を可能にすることができる。加えて、フィルタは、システムの底部に向かって延在することによって、及び、それ自体がフィルタの底部分まで延在し、当該底部分を形成することができるフレームを含むことによって、１つ以上の移送ポートと係合するように構成することができ、それによって、システムの底部からの流体及び組織の挿入及び／又は抽出を可能にし、それによって、シリンジ又は他の装置を使用して頂部だけのアクセスに対する必要性がなくなる。
【０１９４】
例示的なフィルタの具体的な詳細を以下のように説明するが、望ましいフィルタ構造体の一般の主体は上述のことから理解することができ、また、本明細書で説明される組織処置システム及び方法のいずれかにおいて使用されるフィルタに適用することができる。フィルタ構造体１９１０は、フィルタ１９１５と、１つ以上の剛性リングとを含むことができる。例示的な一実施形態において、フィルタ１９１５は、単一の継ぎ目で封止されるメッシュ状材料等の単一の材料片で形成することができる。単一の継ぎ目を使用することによって、製造中に行われるべきメッシュ封止の量を低減させることができる。いくつかの実施形態において、フィルタ構造体１９１０は、上部剛性リング１９２２と、下部剛性リング１９２４とを含むことができる。上部剛性リング１９２２は、封止面１９２４と、リッジ１９２５とを含むことができる。種々の実施形態において、封止面１９２４は、フィルタ１９１５を封止面１９２４にヒートシール又は超音波溶接することを可能にするように平坦にすることができる。下部剛性リング１９２４は、フィルタ１９１５を下部剛性リング１９２４にヒートシール又は超音波溶接することを容易にするために、平坦面を含むことができる。剛性リングは、プラスチック、又は金属若しくはガラスが挙げられるがこれらに限定されない任意の他の適切な材料で形成することができる。いくつかの実施形態において、フィルタ１９１５は、合成又は天然のメッシュ状材料を含むことができる。フィルタ１９１５は、第２のチャンバから第１のチャンバを分割するメッシュ壁とすることができる。いくつかの実施形態において、上部剛性リング１９２２は、メッシュ等のフィルタ１９１５の上部境界を取り囲むフレームの一部分とすることができる。
【０１９５】
図１９Ｂは、本開示の様々な実施形態に従う、組織処置システムにおける図１９Ａのフィルタ構造体の配置を例示する。いくつかの実施形態において、組織処置システムは、外骨格１９５０を含むことができる。例示的な一実施形態において、上部剛性リング１９２２上のリッジ１９２５は、外骨格１９５０内の棚部特徴１９５２に係合することができる。上部剛性リング１９２２及び外骨格１９５０の係合は、組立者又は施術者に要素が係合したことを知らせるために、封止又は圧入工程を含むことができる。いくつかの実施形態では、下部剛性リング１９２４を外骨格１９５０に接合又はヒートシールして、メッシュフィルタ１９１０を適所に固定すること、又はメッシュフィルタ内からの組織若しくは流体の漏出を防止することができる。
【０１９６】
図１９Ｃは、本出願の実施形態に従うフィルタリング構造体１９１０の断面図を例示する。フィルタリング構造体１９１０は、フィルタ１９１５と、上部剛性リング１９２２と、エラストマーＯリング１９３２とを含むことができる。上部剛性リング１９２２は、溝等の凹部１９３１を有することができる。エラストマーＯリング１９３２は、凹部１９３１内に堅固に嵌合するようにサイズ決定することができる。いくつかの実施形態において、エラストマーＯリング１９３２を使用して凹部１９３１のフィルタ１９１５にピン留めすることによって、固体が通過することができない堅固な封止部がフィルタリング構造体１９１０の頂部に形成される。
【０１９７】
図１９Ｄ及び図１９Ｅは、それぞれ、本出願の様々な実施形態に従う、フィルタリング構造体１９１０及び完成したフィルタリング構造体１９１０のための予備成形体１９６５を例示する。予備成形体１９６５は、様々な適切な形状で生成することができる。いくつかの実施形態において、予備成形体１９６５は、対称軸１９６６を有することができ、当該対称軸を中心に予備成形体を折り畳み、完成したフィルタリング構造体１９１０を生成することができる。予備成形体１９６５は、典型的に、単一の平坦な材料片であるので、打ち抜き又は型抜き等のより単純な機械加工技術を使用して製造することができる。いくつかの実施形態において、予備成形体１９６５は、折り畳み、封止して、フィルタリング構造体１９１０を形成することができる。例えば、予備成形体１９６５の縁部１９６６は、ヒートシール、圧着、又はプレス加工して、固体材料の通過を可能にしない封止部を達成ことができる。その結果、いくつかの実施形態において、フィルタリング構造体１９１０は、コーヒーフィルタに類似するポケット状の形状を有することができる。
【０１９８】
図２０Ａ及び図２０Ｂは、本開示の様々な実施形態に従う、組織処置システムで使用するための入れ子式混合パドルの２つの構成を例示する。様々な実施形態に従って、入れ子式混合パドル２０１０は、混合パドル及びピストン又はプランジャの両方として動作するように変換することができる。例示的な一実施形態において、入れ子式混合パドル２０１０は、第１の軸方向位置２０１２及び第２の軸方向位置２０１４にブレードを有する。いくつかの実施形態では、混合形態及びピストン形態からの変換中に、異なる軸方向位置のブレードを他の１つに対して回転させることができる。図２０Ａ〜図２０Ｄに示される入れ子式混合パドル２０１０は、２つの軸方向位置にブレードを有するが、パドルに沿って任意の数の軸方向位置にブレードが存在し得ることが想定される。混合パドル２０１０は、第１の軸方向位置２０１２のブレード及び第２の軸方向位置２０１４のブレードを共に同じ軸方向位置にすることによって、図２０Ｂに示されるピストン形態に変換することができる。これは、第１の軸方向位置２０１２のブレード、第２の軸方向位置２０１４のブレード、又は両方を移動させることによって達成することができる。例示的な一実施形態において、混合パドル２０１０のピストン形態は、組織が通過することを可能にする相当な表面の間隙を伴わない、完全な底面を有することができる。
【０１９９】
図２０Ｃ及び図２０Ｄは、様々な実施形態に従う、入れ子式混合パドルを有する組織処置システムの側面図を例示する。入れ子式混合パドル２０１０は、図２０Ｃでは混合形態で示し、図２０Ｄではピストン形態で示す。組織洗浄サイクルの終了時には、入れ子式混合パドル２０１０のピストン形態を使用して、組織処置システムから組織を抽出するのを補助することができる。ピストン形態において、ユーザは、ピストン形態の入れ子式混合パドルの端部２０１５を押圧して、組織処置システム内の抽出ポート２０３０に向かって組織を押し出すことができる。
【０２００】
図２１Ａ〜図２１Ｄは、本開示の様々な実施形態に従う、組織処置システムで使用するための入れ子式混合パドルを例示する。図２１Ａに示されるように、入れ子式混合パドル２１１０は、パドルの端部２１１５上に解放ボタン２１１６を含むことができる。いくつかの実施形態において、解放ボタン２１１６は、デテントを解放して、入れ子式混合パドルに沿って異なる軸方向位置にあるブレードを同じ軸方向位置にして、ピストン又はプランジャを形成することを可能にすることができる。いくつかの実施形態において、入れ子式混合パドル２１１０は、剛性成型外骨格２１５２及びメッシュ２１５５を含むメッシュフィルタ２１５０と連携して使用することができる。剛性成型外骨格２１５０は、メッシュ２１５５を入れ子式混合パドル２１１０のブレードの外側縁部と密に接触した状態に保つ構造をメッシュフィルタ２１５０に与えることができる。ブレードとメッシュとの間の密な接触は、入れ子式混合パドル２１１０がピストン形態にあるときに有効なプランジャ動作を可能にし、それによって、抽出を向上させることができる。図２１Ｂは、採取した脂肪及び／又は他の組織を洗浄又はリンス溶液と混合するために、拡張した混合又は攪拌モードにある入れ子式混合パドル２１１０を例示する。図２１Ｃは、混合モードからピストンモードへの入れ子式混合パドル２１１０の変換を例示する。この実施形態において、第２の軸方向位置のブレードは、第１の軸方向位置まで上昇される。いくつかの実施形態では、ブレードをこの位置に係止して、リンスし、洗浄した組織を抽出するのを支援することができる。図２１Ｄでは、ピストン形態の入れ子式混合パドル２１１０を押し下げて、装置の底部の抽出ポートから組織が出ることを可能にする。
【０２０１】
図２２Ａ及び図２２Ｂは、本開示の様々な実施形態に従う、放出ピストンとして開閉することができる円板部分を有する混合装置を含む組織処置システムを例示する。組織処置システム２２００は、その中を中央シャフト２２２０が通過するメッシュキャニスタ２２５０を含むことができる。中央シャフト２２２０は、混合ブレード２２３０と、円板部分２２４０と、ハンドル２２１４と、回転頂部レバー２２１２とを含むことができる。組織の混合及び洗浄中に、円板部分２２４０の開口部分２２４２は、組織が円板部分を通って進行することを可能にすることができる。組織を洗浄し、抽出する準備ができたときに、フレンチプレスに類似して、中央シャフト２２２０を上に摺動させることができる。例示的な一実施形態では、回転頂部レバー２２１２を、中実のパネル２２４３を円板部分２２４０の開口部分２２４２に配置するように回転させ、それによって、開口部分を遮断することができる。組織抽出を高めるために、この時点で、中央シャフト２２２０上を押し下げることによって、中実の円板部分２２４０を下げて、キャニスタ２２５０の底部の抽出ポート２２６０から組織を押し出すことができる。
【０２０２】
図２３〜図２５は、組織抽出を容易にするために、混合及びオーガシステムを含む、組織処置システムを例示する。図２３は、本開示の様々な実施形態に従う、組織摘出を容易にするための混合及びオーガシステムを有する組織処置システムを例示する。混合及びオーガシステムは、オーバーモールドした透明プラスチックメッシュキャニスタ２３５０の中へ入る中央シャフト２３２０を含むことができる。中央シャフト２３２０は、混合ブレード２３３０と、ハンドル２３１４と、オーガ２３３５とを含むことができる。いくつかの実施形態において、回転ハンドル２３１４を１つの方向に回転させると、混合ブレード２３３０を使用して組織を混合し、一方で、回転ハンドル２３１４を反対方向（例えば、時計方向）に回転させると、組織処置装置２３００の底部の抽出ポート２３６０まで組織をオーガする。図２４Ａ及び図２４Ｂは、本開示の様々な実施形態に従う、組織処置システムにおける図２３の混合及びオーガシステムの斜視図及び上面図を例示する。図２５Ａ及び図２５Ｂは、本開示の様々な実施形態に従う、組織抽出を容易にするための混合及びオーガシステムの代替の実施形態を例示する。様々な実施形態に従って、オーガ２３３５は、相対的に（図２５Ｂに例示するように）幅を広くすること、又は（図２５Ａに例示するように）幅を狭くすることができる。
【０２０３】
図２６Ａ及び図２６Ｂは、本開示の様々な実施形態に従う、モータ付き組織処置システムの代替の実施形態を例示する。いくつかの実施形態において、モータ付きシステムは、混合ブレードを自動的に回転させるために、バッテリ給電式モータ２６０１を含むことができる。モータ付きシステムは、モータ２６０１を始動及び停止させるために、ボタン２６０２を含むことができる。いくつかの実施形態において、モータ付きシステムは、ばね付勢巻き上げ機構２６０４と、ボタンとを含むことができる。ばね付勢巻き上げ機構は、ノブ２６０６を使用して巻回することができる。好ましい実施形態において、ユーザは、ノブ２６０６を回転させて巻き上げ機構２６０４巻き上げ、ボタンを押して攪拌を開始することができる。様々な実施形態に従って、モータ付きシステムは、制御された期間にわたって制御された速度で中央又は混合シャフトを回転させることができる。制御された速度の使用は、速度を最大又は最小境界の範囲内に留めることを確実にすることができ、これは、組織に対する追加的なストレスを伴わない適切な攪拌を提供することができる。制御された期間にわたって混合する能力は、混合が生じている間にユーザが他の作業に参加することを可能にすることによって、及び、長時間の手動混合の後のユーザの疲労を低減させることによって、有用性を向上させることができる。
【０２０４】
図２７Ａは、本開示の様々な実施形態に従う、図２６Ｂに示される組織を攪拌するためのモータ付きシステムの透視図を例示する。モータ付きシステムは、ノブ２７０６と、ラチェット機構とを含むことができる。ラチェット機構は、歯車２７１２と、爪２７１４とを含むことができる。ばね付勢巻き上げ機構２７０４は、ノブ２７０６を回転させることによって巻回することができる。爪２７１４は、歯車２７１２が巻き戻ることを防止する。いくつかの実施形態において、ボタンの起動は、混合ブレード２７３０の回転に電力を供給している間に歯車２７１２が緩やかに巻き戻ることができるように、爪２７１４を解放することができる。
【０２０５】
図２７Ｂ及び図２７Ｃは、それぞれ、様々な実施形態による、モータ付き又は給電式組織処置装置２７００の斜視図及び上面図である。いくつかの実施形態において、モータ付き組織処置装置２７００は、上で説明したような巻き上げ機構を動作させて混合ブレード２７３０の運動を駆動するために、ノブ２７０６含むことができる。ボタン２７２２を使用して、ノブ２７０６の巻き上げ後に、システムに蓄えたエネルギーを解放することができる。組織処置装置２７００は、装置２７００の内部と外部環境とを流体接続するために、通気ポート２７２１を含むことができる。いくつかの実施形態において、通気ポート２７２１は、通気口封止部２７２７の回転動作によって、封止又は封止解除することができる。いくつかの実施形態において、通気口封止部２７２７は、通気ポート２７２１の周囲の封止を向上させるために、ゴム引き表面又はＯリング等の封止要素を含むことができる。組織処置システム２７００はまた、個々のポート２７０２を出入りする流れを制御するために、ポート２７０２に接続された１つ以上の弁２７２８も含むことができる。個々にポート２７０２に接続された弁２７２８は、組織処置手順の工程を行っている間に、単純溶液をポート２７０２への開口及び閉鎖アクセスに提供する。置き忘れ得る又は落とし得る（したがって、無菌状態を失う）緩いクランプを使用してホースを挟持することとは異なり、弁２７２８は、装置２７００と一体型とすることができる。
【０２０６】
組織処置装置２７００はまた、他の実施形態について上で説明したものに類似する、幅広の基部２７７０も含むことができる。幅広の基部２７７０は、ユーザによる装置２７００の把持を容易にするために、窪み２７７１を含むことができる。いくつかの実施形態において、窪み２７７１は、幅広の基部２７７０の成型中に形成することができる。いくつかの実施形態において、窪み２７７１は、オーバーモールド部分を含むことができる。オーバーモールド部分は、ユーザによる装置の把持を向上させるために、ゴム引き材料を含むことができる。
【０２０７】
図２８Ａ及び図２８Ｂは、本開示の様々な実施形態に従う、無菌ドレープを含む組織処置システムを例示する。いくつかの実施形態において、無菌ドレープ２８１０は、組織処置システム２８００のキャニスタ又は容器に予め取り付けておくことができる。無菌ドレープ２８１０は、作業面を覆って広げて、当該作業面の下側に接着することができる。いくつかの実施形態において、無菌ドレープ２８１０は、接着剤を含むことができる。いくつかの実施形態において、無菌ドレープ２８１０は、外科的環境において一般に見出されるメイヨースタンド又は他のトレイに外嵌するようにサイズ決定することができる。組織処置システムの使用が生じる前に、様々な外科的手順が既に生じている場合があるので、組織処置システム２８００に直接取り付けられた無菌ドレープ２８１０は、単純に、以前の手順中に汚染されてしまっている場合がある表面の上に広げて、覆うことによって、工具のための無菌の表面を施術者に素早く提供することができる。
【０２０８】
図２９Ａ〜図２９Ｄは、本開示の様々な実施形態に従う、基部と、交換可能な組織処理ユニットとを含む組織処置システム２９００を例示する。基部ユニット２９１０の頂部カバー２９１５は、持ち上げて、容器又はキャニスタ２９２０及びチューブマニホールドアセンブリ２９２５を含む組織処理ユニットの挿入を可能にすることができる。頂部カバー２９１５は、動作のために下げることができる。いくつかの実施形態において、回転ハンドル機構２９２１は、基部ユニット２９１０に一体化することができ、一方で、混合ブレードは、キャニスタ２９２０に一体化することができる。２つの構成要素のシステム（基部ユニット２９１０及びキャニスタ２９２０／チューブマニホールドアセンブリ２９２５）の使用は、システム２９００のいくつかの部分に対するユニットあたりのコストを低減させることができる。いくつかの実施形態において、基部ユニット２９１０は、多数の手順に再使用することができ、一方で、キャニスタ２９２０及びチューブマニホールドアセンブリ２９２５は、単回使用及び／又は使い捨てとすることができる。いくつかの実施形態において、基部ユニット２９１０は、滅菌可能とすることができる。いくつかの実施形態において、基部ユニット２９１０は、使用中に、表面、例えばテーブルに固定して、基部ユニット２９１０を安定させることができる。基部ユニット２９１０を固定することによって、システム２９００の内容物の混合、攪拌、又はかき混ぜ中に、システム２９００が転倒する可能性が低くなる。
【０２０９】
図３０Ａ及び図３０Ｂは、本開示の様々な実施形態に従う、チューブ管理装置を含む組織処置システム３０００を例示する。例示的な一実施形態において、システム３０００は、図１０Ａを参照して上で説明したような流れ管理装置１０００等のチューブ切り換え機構を使用することができる。システム３０００の蓋は、プレート（例えば、第１のプレート）の一部分を孔３００１を通して見ることを可能にするために、孔３００１を含むことができる。いくつかの実施形態において、各孔３００１は、ポートと関連付けることができ、また、ポートの機能を識別する注釈３００２を含むことができる。例示的な注釈３００２としては、「脂肪」、「リンス」、「通気」、及び「真空」を挙げることができる。
【０２１０】
いくつかの実施形態において、チューブ管理システムの最上位プレートには、現在のチューブ接続状態を示す記述又はラベル３００５を付すことができる。例えば、プレートは、組織処理動作の特定の工程のためにチューブ管理システム内のプレートを正しく整列させたときに、孔３００１と整列する「Ｘ」を含むことができる。孔３００１を通して見たときのラベル３００５の複数の例示的な配設を図３０Ｂに示す。一例として、ラベル３００５は、排出段階中に通気及びリンスポートに対応する孔３００１に出現させて、これらのポートが閉じていることを示すことができ、一方で、残りのポート（すなわち、脂肪及び真空）は、開いており、また、対応する孔３００１に出現するラベル３００５を有しない。ラベルは、必要に応じて孔に出現するようにプレートに位置付けて、組織処理動作の様々な段階、例えば脂肪吸引、リンス、攪拌、排出、及び抽出段階に対するポートの開閉状態を知らせることができる。本明細書で説明されるように、ラベル３００５の存在は、ポートが閉じていることを示し、一方で、ラベル３００５を有しない孔３００１は、開いているポートを示す。しかしながら、当業者は、ラベルのある孔３００１が、対応する開いているポートを示すことができ、一方で、ラベルのない孔３００１が、閉じているポートを示すことができることを認識するであろう。
【０２１１】
図３１Ａ〜図３１Ｄは、図３０Ａ〜図３０Ｂの実施形態に対する、チューブ管理装置の代替の実施形態の図を例示する。表されたチューブ管理装置３１１０において、インジケータスイッチ３１０３は、組織処理手順の現在の段階を説明する注釈３１１３を指し示すことができる。すなわち、インジケータスイッチ３１０３は、任意の所与のポートの開／閉状態に関する直接的な情報をユーザに提供することができないが、代わりに、組織処理手順の現在の工程に関する情報をユーザに提供することができる。このようにして、インジケータスイッチ３１０３は、下で更に詳細に説明されるように、行動の工程をユーザに案内することができ、また、工程ごとに対応する接続を開閉することができる。いくつかの実施形態において、例示的な注釈３１１３としては、「採取」、「洗浄」、「フィルタ」、及び「抽出」を挙げることができる。インジケータスイッチ３１０３の使用は、本明細書において上で説明したように、手順の全体を通してチューブを接続したままにできるので、ポート３１０２に対するチューブの接続解除及び接続の必要性を排除することができる。
【０２１２】
いくつかの実施形態において、インジケータスイッチ３１０３は、図９Ａ〜図１０Ｂを参照して上で説明したように、チューブ管理装置の第２のプレート又は第３のプレートの制御を可能にするように構成することができる。他の実施形態において、チューブ管理装置３１１０は、下で説明するように、外蓋３１０５と、内蓋３１１１とを含むことができる。
【０２１３】
図３２は、図３２Ａの組織処置システムの下側からの図を例示する。図に示されるように、チューブ管理装置３１１０は、外蓋３１１１と、外蓋３１１１内に着座し、当該外蓋に対して回転可能な内蓋３１１２とを含むことができる。いくつかの実施形態において、内蓋は、内蓋３１１２の外周の周囲の様々な場所に複数の孔３１１５を含むことができる。同様に、外蓋３１１１は、組織、流体／溶液、又は負圧をシステム３１００に送達するためにチューブと係合可能である、複数のポート３１０２を含むことができる。インジケータスイッチ３１０３が回転すると、内蓋３１１２は、外蓋３１１１に対して回転して、孔３１１５のサブセットをポート３１０２の１つ以上と流体連通させることができる。例えば、インジケータスイッチ３１０３が「洗浄」の注釈を指し示しているときには、通気して溶液を装置の中へ搬送するためのチューブに対して整列させた孔３１１５及びポート３１０２に接続することができ、一方で、他の孔は、接続されない。図３２に示されるように、いくつかの孔３１１５は、容器の内部に流体接続され、フィルタリング構造体の内部にあり、一方で、他の孔３１１５は、フィルタリング構造体の外部にある容器の内部に流体接続される。
【０２１４】
いくつかの実施形態では、封止要素を内蓋３１１２又は外蓋３１１１の表面にオーバーモールドして、それらの間の空間からの漏出を防止することができる。いくつかの実施形態において、各孔３１１５は、カラーによって取り囲むことができる。そのような実施形態において、外蓋３１１１は、内蓋３１１２の突出カラーを当該外蓋に対して回転させたときに撓む、より軟質のプラスチック材料で形成することができる。この撓みは、孔３１１５の周囲に封止部を作成することができる。孔３１１５がポート３１０２と整列するように内蓋３１１２が回転すると、カラーがポート３１０２と整列するような位置に当該カラーを「スナップする」ことができる。いくつかの実施形態において、各孔３１１５は、内蓋３１１２と外蓋３１１１との間に封止部を形成して、流体又はガスが孔３１１５から漏れるのを防止するために、ゴム等の密閉材料で形成したインサートを有することができる。
【０２１５】
図３３Ａ〜図３３Ｄは、本開示の様々な実施形態に従う、チューブ管理装置３３１０を含む組織処置システム３３００を例示する図を例示する。チューブ管理装置３３１０は、押圧したときに適切なチューブ線３３１６を遮断又は遮断解除する押し下げボタン３３１５の形態で、複数のチューブ制限装置を含むことができる。いくつかの実施形態において、各押し下げボタン３３１５は、組織処理手順の工程に対応する注釈３３１１を含むことができる。例示的な注釈３３１１としては、「脂肪吸引」、「リンス」、「混合」、「排出」、又は「抽出」が挙げられる。いくつかの実施形態において、注釈３３１１は、手順を形成する逐次的な工程の順序で、対応する工程の配置を示す数字を含むことができる。
【０２１６】
いくつかの実施形態において、押し下げボタン３３１５が押し下げられ、係止されると、適切なチューブ３３１６が挟持され、一方で、他のチューブ経路が開いたままになる。例えば、及び図３３Ａの押し下げボタン３３１５の分離図に示されるように、各押し下げボタン３３１５は、１つ以上の切り欠き３３２０を含むことができ、当該切り欠きは、ボタンを押したときにそこを通過するチューブを遮断解除したままにすることを可能にするように成形される。示される実施例において、４つのチューブ３３１６は、「２．リンス」のラベルが付されたボタン３３１５、及び「１．脂肪吸引」のラベルが付されたボタンの下側を通過することができる。「２．リンス」のラベルが付されたボタン３３１５が押されると、２つの最内チューブは遮断されず、一方で、２つの最外のチューブ３３１６が遮断される。「１．脂肪吸引」のラベルが付されたボタン３３１５が押されると、２つの最内チューブ３３１６が遮断され、一方で、２つの最外のチューブ３３１６は遮断されない。
【０２１７】
図３４は、スナップダウンパネル３４１０の形態の複数のチューブ制限装置を含む代替のチューブ管理装置を含む組織処置システム３４００を例示する。スナップダウンパネル３４１０は、ピンチ弁に類似する様態で、組織処理シーケンスの工程ごとに適切なチューブ３４０２を挟持することができる。例えば、各スナップダウンパネル３４１０の下側は、図３３Ａ〜３３Ｄの押し下げボタン３３１５を参照して上で説明した切り欠きに類似する様式で、一連の切り欠きを含むことができる。いくつかの実施形態において、各スナップダウンパネル３４１０は、ヒンジ付端部３４１０ａと、把持端部３４１０ｂとを含むことができる。ユーザは、把持端部３４１０ｂを把持して、スナップダウンパネル３４１０に下向きの力を印加して、当該把持端部を適所に係止することができる。このように、把持端部３４１０ｂは、システム３４００の本体と係合して、パネルを係止位置に保持する、ラッチを含むことができる。様々な実施形態に従って、各スナップダウンパネル３４１０は、組織処理シーケンスの工程に対応する注釈３４１１を含むことができる。したがって、第１の工程から最後への進行におけるスナップダウンパネルの起動を順序付けることによって、ユーザに工程を順次行うように指示することができる。
【０２１８】
図３５は、本開示の様々な実施形態に従う、脂肪組織を抽出するための出口３６１０を有する組織処置システム３６００を例示する。出口３５１０は、混合ブレード３５１３が載置されるシャフト３５１２の中心を通過することができる。いくつかの実施形態において、シャフト３５１２を介してフィルタリング構造体３５１５の底部と流体連通する出口３５１０を配置することは、システム３６００を一方又はもう一方の側部に傾けることを必要とせずに、組織の効率的な取り出しを可能にする。いくつかの実施形態において、出口３６１０は、図３６に示されるように、回転ハンドル３５２１の一部分を通過することができる。いくつかの実施形態において、出口３６１０は、シリンジと嵌合するように成形し、サイズ決定することができる。
【０２１９】
図３７Ａ及び図３７Ｂは、本開示の様々な実施形態に従う、低プロファイルを有する組織処置システム３７００の図を例示する。いくつかの実施形態において、システム３７００の幅３７３０は、システム３７００の高さ３７３５よりも広くすることができる。例えば、幅３７３０は、システム３７００の高さ３７３５よりも少なくとも２倍、３倍、４倍、又はより高い倍数だけ広くすることができる。いくつかの実施形態において、高さ３７３５よりも広い幅３７３０を有することによって作成される低ロファイルは、システム３７００の重心を低くすることによって、安定性を向上させることができ、また、混合及び抽出動作中のシステムの転位又は転倒を防止することができる。
【０２２０】
図３８は、様々な実施形態に従う、人間工学的な回転ハンドル３８２１を有する組織処置システム３８００を例示する。回転ハンドル３８２１の把持部分３８２２は、ユーザの手に適合するように、様々な形状で形成し、サイズ決定することができる。例えば、把持部分３８２２は、より快適な把持部を提供するために、扁平な幾何学的形状（例えば、円形ではなく楕円形）を有することができる。例示的な一実施形態において、把持部分３８２２は、横材３８２５の最上部で自由に回転させることができる。回転把持部分３８２２は、ユーザが、回転ハンドル３８２１の完全な回転の全体を通して再調整することを必要とせずに、把持部分３８２２を把持し、同じ把持姿勢を維持することを可能にすることができる。いくつかの実施形態において、回転ハンドル３８２１は、回転ハンドル３８２１の基部がシステム３８００に接触する、隆起プラットフォーム３８２４を含むことができる。隆起プラットフォーム３８２４は、回転ハンドル３８２１とシステム３８００の頂部との間に追加的な離間距離を提供して、ユーザが、ハンドル３８２１を動作させている間、システム３８００に手（例えば、拳骨）の一部をぶつけるのを防止することができる。
【０２２１】
図３９Ａ及び図３９Ｂは、支持ハンドル３９３０を含む組織処置システム３９００を例示する。様々な実施形態に従って、ユーザは、支持ハンドル３９３０を握持して、システム３９００を運搬すること、又は組織処理動作中にシステム３９００が動かないようにすることができる。いくつかの実施形態において、図３９Ｂに示されるように、支持ハンドル３９３０の基端部３９３０ａは、システム３９００の基部と同じレベルとすることができる。言い換えれば、基端部３９３０ａ及びシステム３９００の基部はどちらも、システム３９００が平坦面に配置されたときに、当該平坦面と接触することができる。その結果、支持ハンドル３９３０の基端部３９３０ａは、システムと当該基端部を静置する表面との間に追加的な接点を提供することができる。この追加的な接点は、システムの安定性を増加させ、また、帆船上のアウトリガーの機能に類似して、転倒を防止することができる。いくつかの実施形態において、サポートハンドル３９３０は、成型によって形成される。
【０２２２】
図４０は、複数の支持ハンドル３９３０を有する組織処置システム３９００を例示する。いくつかの実施形態において、複数の支持ハンドル３９３０は、三脚のように作用して、増加した安定性を提供することができる。複数の支持ハンドルの使用はまた、様々な把持手の位置を提供することもでき、及び／又は全システムを回転させて各人に順番に面することを必要とせずに、システム３９００の対向側に位置する多数の人が組織処理手順の工程を行うことを可能にすることもできる。
【０２２３】
図４１Ａ〜図４１Ｃは、本開示の様々な実施形態に従う、組織処置システム４１００及び関連付けられたパッケージング４１６０を例示する。様々な実施形態に従って、組織処置システム４１００は、パッケージング４１６０の中へ配置して、システムを安定させることができる。いくつかの実施形態において、パッケージング４１６０は、システム４１００内の容器にぴったりと嵌合するように真空形成することができる。パッケージング４１６０は、産生物の輸送又は送達中のシステム４１００の緩衝及び保護を提供することができる。顧客が受領した時点で、パッケージング４１６０及びシステム４１００を輸送容器から取り出し、共に組み立てることができる。例えば、システム４１００は、パッケージング４１６０内で輸送することができる。いくつかの実施形態において、パッケージング４１６０からシステム４１００を取り出すために、封止カバー４１６１を剥がして、システム４１００を出現させることができる。いくつかの実施形態において、システム４１００は、パッケージング４１６０から取り出し、逆さまにして、パッケージング４１６０の中へ戻すことができる。パッケージング４１６０は、使用中のシステム４１００の転倒を防止し、安定させるために、幅広の基部を有することができる。いくつかの実施形態において、パッケージング４１６０は、成型溝４１３４を含むことができる。成型溝４１３４は、パッケージング４１６０の基部に向かって下方にチューブをルーティングすることによって、チューブを管理するのを補助することができる。
【０２２４】
図４２Ａ及び４２Ｂは、それぞれ、本開示の様々な実施形態に従う、載置システム４２０５及び載置システム４２０５を含む組織処置システム４２００を例示する。載置システム４２０５は、処置システム４２００を表面に固定して、混合ブレードを動作させること等の組織処理手順の激しい工程中の安定性を増加させることができる、様々な構造体を含むことができる。いくつかの実施形態において、載置システム４２０５は、フック及びラッチ構造体又は吸着カップを含むことができる。載置システム４２０５は、接着剤、ねじ、又は他の取り付けに適切な手段を使用して、処置システム４２００の下側に固定することができる。いくつかの実施形態において、載置システム４２０５は、組織処置システム４２００が、その取り付けられる表面を摺動又は転位することを防止することができる。
【０２２５】
図４３は、本開示の様々な実施形態に従う、載置システム４３５０を含む組織処置システム４３００を例示する。様々な実施形態に従って、載置システム４３５０は、別個に提供することができ、また、組織処置システム４３００及び環境内の載置表面に対して取り付けること、又は取り外すことができる。いくつかの実施形態において、載置システム４３５０は、載置システムを環境内の表面に取り付けるために、クリップ４３５５を含むことができる。クリップ４３５５は、ばね荷重式とすることができる。いくつかの実施形態において、クリップ４３５５は、載置システム４３５０をメイヨースタンドの縁部に固定するように適合させることができる。様々な実施形態に従って、載置システム４３５０は、組織処置システム４３００に対する補完的な形状を有する特徴４３０９と嵌合する陥没部４３５９を含むことができる。特徴４３０９は、陥没部４３５９内の対応する構造体と相互作用する、突出又は陥没した構造体４３０８を含むことができる。例えば、突出構造４３０８は、陥没部内でリッジ又は凹部と相互作用して、システム４３００を適所で保持する相互係止を作成する、リッジ又は他のスナップ嵌め特徴を含むことができる。
【０２２６】
図４４Ａ及び図４４Ｂは、本開示の様々な実施形態に従う、流体バッグ４４５１を格納するための基部４４５０を含む組織処置システム４４００を例示する。システム４４００は、基部４４５０内の流体バッグ４４５１の上へ下げられる平坦な基部４４０１に、取り付けられた組織処置装置４４０２を含むことができる。いくつかの実施形態において、平坦な基部４４０１は、平坦な基部４４０１を上から基部４４５０の中へ入れることができるように、基部４４５０の寸法と比較して小さくサイズ決定される。本開示の様々な実施形態によれば、流体バッグ４４５１は、水、リンガー溶液、又はリンス溶液を含む、組織処理に関連する様々な流体を含むことができる。多くの実施形態において、流体バッグ４４５１の液体の重量は、追加的な安定性をシステム４４００に提供する。組み立てるときに、基部４２５０の孔４４５２は、チューブが流体バッグ４４５１から処置装置４４０２へ通過することを可能にすることができる。いくつかの実施形態において、ユーザは、平坦な基部４４０１に下向きの力を印加して、流体バッグ４４５１から組織処置装置４４０２の中へ流体を「圧送する」ことができる。
【０２２７】
図４５Ａ及び図４５Ｂは、本開示の様々な実施形態に従う、流体バッグ４５５１を格納するための基部４５５０を含む組織処置システム４５００を例示する。いくつかの実施形態において、流体バッグ４５５１は、システム４５００の安定性を高め、かつシステム４５００の転倒又は摺動を防止するための重りとして作用することができる。いくつかの実施形態において、システム４５００は、流体バッグ４５５１に穿孔し、流体バッグ４５５１から混合ユニット４５０２へ流体を搬送するために、バッグスパイク４５２０を含むことができる。バッグスパイク４５２０は、いくつかの実施形態において流体バッグ４５５１からの流体の流れを開閉するために、いくつかの実施形態においてストップコック４５２１を含むことができる。いくつかの実施形態において、バッグスパイク４５２０は、エルボ継手又は屈曲部を含むことができる。いくつかの実施形態において、システム４５００は、流体バッグ４５５１の上を閉じて、保護を提供し、かつ流体バッグ４５５１の偶発的な穿刺を防止する、カバー４５０４を含むことができる。
【０２２８】
図４６Ａ及び図４６Ｂは、それぞれ、本開示の様々な実施形態に従う、組織処置システム４６００の斜視図及び側面図を例示する。システム４６００は、組織処置手順の工程中に、増加した安定性をシステム４６００に提供するために、幅広の基部４６３０を含むことができる。例示的な一実施形態において、チューブ４６０２ａ〜ｃは、幅広の基部４６３０の中に入り、幅広の基部４６３０を通ってシステム４６００から出ることができる。チューブ４６０２ａ〜ｃが、幅広の基部４６３０の中に入ることによって、外科的手順の工程中に、チューブが十分に固定され、かつユーザに干渉しない。いくつかの実施形態において、各チューブ４６０２ａ〜ｃを通したシステム４６００へのアクセスは、弁４６１２を使用して規制することができる。例示的な弁４６１２としては、二方（すなわち、オン／オフ）弁、又は三方（すなわち、チューブ１、チューブ２、オフ）弁を挙げることができる。例えば、三方弁を使用して、患者チューブ４６０２ｂを制御して、脂肪吸引（例えば、患者の組織抽出）、リンガー溶液）、又は全閉の間で切り換えることができる。いくつかの実施形態において、患者チューブ４６０２ｂは、Ｔコネクタに接続して、接続を分割することができる。いくつかの実施形態において、抽出管４６０２ｃは、フィルタリング構造体の底部に接続して、処理した組織の抽出を可能にすることができる。いくつかの実施形態では、真空チューブ４６０２ａに真空を印加して、廃棄物を取り出すことができる。いくつかの実施形態において、システム４６００は、システム４６００への通気アクセスを制御するために、回転ダイヤル４６０８を含むことができる。
【０２２９】
図４７は、本開示の様々な実施形態に従う、洗浄サイクルカウンタ４７１０を有する組織処置システム４７００を例示する。洗浄サイクルカウンタ４７１０は、行われた洗浄サイクルの数を、ユーザに通知することができる。いくつかの実施形態において、洗浄サイクルカウンタ４８１０は、指定された数の洗浄サイクルを完了した後に、機構に係合することができる。ブレーキを含むことができる機構は、指定された数の洗浄サイクルを達成した後に、混合ハンドルが回転するのを防止することができる。種々の実施形態において、洗浄サイクルカウンタ４８１０によって示される洗浄回数は、ユーザによって手動で進めることができ、又は混合ハンドルによって行われた回転の数に応じて進めることができる。
【０２３０】
図４８Ａ及び図４８Ｂは、それぞれ、本開示の様々な実施形態に従う、折り畳まれていない状態及び折り畳まれた状態における折り畳み可能な組織処置システム４８００を例示する。折り畳み可能な組織処置システム４８００は、頂部プレート４８０３と、底部プレート４８０４とを含み、それらの間に延在する折り畳み可能な外壁４８０１を有することができる。折り畳み可能な外壁４８０１内に、システム４８００は、混合ブレードに接続された折り畳み可能なフィルタリング構造体４７１５及び折り畳み可能な混合シャフト４８１２を含むことができる。折り畳まれていない状態において、頂部プレート４８０３と底部プレート４８０４との間に延在するアーム４８０５は、プレートを分離した状態に保持することができる。いくつかの実施形態において、アーム４８０５は、クランプ４８０６又は他の適切な固定システムを使用して、頂部プレート４８０３又は底部プレート４８０４に接続することができる。折り畳まれていない状態のシステム４８００を使用して、組織処理手順の処理及び洗浄工程を行うことができる。
【０２３１】
様々な実施形態に従って、組織が適切に洗浄されたときに、折り畳み可能な組織処置システム４８００は、アコーディオンに類似して折り畳んで、抽出ポート４８１１に向かって組織を押し出すことができる。いくつかの実施形態において、アーム４８０５のクランプ４８０６は、頂部プレート４８０３又は底部プレート４８０４から係合解除することができ、そして、取り外すことができる。次いで、頂部プレート４８０３を底部プレート４８０４に向かって付勢して、折り畳み可能な外壁４８０１内の容積を低減させることができる。
【０２３２】
いくつかの実施形態において、折り畳み可能なフィルタリング構造体４８１５は、強化が不十分なメッシュ又は他の非構造化フィルタリング要素を含み得る。いくつかの実施形態において、折り畳み可能な混合シャフト４８１２は、セグメントを含むことができ、当該セグメントは、底部から頂部へ、又は頂部から底部へ互いに摺動する。セグメントは、混合シャフト４８１２が延在位置にあるときに、セグメントの間に流体が入るのを防止するために、裾広がりの形状を有することができる。
【０２３３】
図４９Ａ〜図４９Ｃは、本開示の様々な実施形態に従う、組織処置システム４９００を例示する。様々な実施形態に従って、組織処置システム４９００は、メッシュフィルタ４９１５を封入する外側カバー４９０１を含むことができる。組織処置システム４９００は、患者の近傍にシステム４９００を吊るす、又は懸下するために、取り付け特徴４９７０を含むことができる。組織処置システム４９００は、手動で、又は図４９Ｂに示されるような混合ブレードを使用することなく、組織の攪拌、混合、及び抽出を可能にすることができる。
【０２３４】
いくつかの実施形態において、外側カバー４９０１は、ゴム等の、耐漏出性であるが可撓性の材料で作製されることができる。例示されるように、複数のポート４９０２（すなわち、脂肪吸引ポート、真空ポート、リンスポート、抽出ポート）は、外側カバー４９０１を通って延在することができる。いくつかのポート４９０２（例えば、リンスポート、脂肪吸引ポート、及び抽出ポート）は、メッシュフィルタ４９１５の内部へ更に延在することができる。各ポート４９０２に接続されたチューブは、それぞれ、ポート４９０２に対する流れを可能にするために、又は阻止するために、挟持すること、又は弱めることができる。
【０２３５】
取り付け特徴４９７０は、システム４９００が、外科的空間内の好都合な場所に配置することを可能にすることができる。例えば、表面空間は、外科医が患者の近くを自由に移動すること可能にするために、しばしば、手術室において制限される。取り付け特徴４９７０は、患者のガウン、外科的ドレープ、メイヨースタンド、又はＩＶスタンド等の、手術室内の任意の対象物にシステムを取り付けることを可能にすることができる。いくつかの実施形態において、取り付け特徴４９７０は、図４９Ｃに示されるように、ＩＶポールのループからシステムを懸下することを可能にするために、ループを含むことができる。いくつかの実施形態において、取り付け特徴４９７０は、ドレープ又は衣服に取り付けることができるクリップ又はクランプを含むことができる。
【０２３６】
図５０は、本開示の様々な実施形態に従う、組織処置システムのポートに接続されたチューブの応力緩和を例示する。いくつかの実施形態において、ポート５００２は、可撓性チューブコネクタ５００３によって覆って、ポートとチューブとの間に接続に対する応力を軽減することができる。いくつかの実施形態において、チューブコネクタ５００３は、軟性材料で作製することができる。チューブコネクタ５００３は、チューブの操作及び移動中に、並びに／又は組織処理手順中に、システムが必要以上に荒く押されることを防止するのを補助することができる。
【０２３７】
図５１Ａ〜図５１Ｃは、本開示の様々な実施形態に従う、組織処置システム５１００の図を例示する。組織処置システムは、ポート５１０２と、混合ブレード５１３０と、マルチポジションスイッチ５１０６と、混合ブレード５１３０を動作させるためのハンドル５１０４とを含むことができる。様々な実施形態に従って、ハンドル５１０４は、混合ブレードに接続されたシャフトの軸に対して傾斜させた軸５１１０を中心に回転させることができる。代替の実施形態において、ハンドル５１０４は、混合ブレードに接続されたシャフトと平行であり、かつ装置の底部の表面垂線に対して傾斜させた軸を中心に回転させることができる。いくつかの実施形態において、マルチポジションスイッチ５１０６は、ユーザが、組織処理手順の工程を通して歩いて、以前の図を参照して上で説明したような工程ごとの対応するポートの接続を開閉することができる。移送ポート５１６０は、装置の前部から出ることができる。
【０２３８】
図５２Ａ〜図５２Ｃは、本開示の様々な実施形態に従う、組織処置システム５２００の図を例示する。システム５２００は、図５１Ａを参照して上で説明したようなポート５１０２と、ハンドル５１０４と、混合ブレード５１３０と、マルチポジションスイッチ５１０６とを含むことができる。様々な実施形態に従って、移送ポート５２６０は、システム５２００の頂面から延在し、装置の底部へ通るチューブに内部で接続することができる。いくつかの実施形態において、システム５２００は、組織処理中に、ユーザがシステム５２００をより良好に安定させることを可能にする、把持表面５２２０を含むことができる。
【０２３９】
図５３Ａ〜図５３Ｃは、本開示の様々な実施形態に従う、組織処置システム５３００の図を例示する。組織処置システムは、ポート５３０２と、混合ブレード５３３０と、マルチポジションスイッチ５３０６と、混合ブレード５３３０を動作させるためのハンドル５３０４とを含むことができる。いくつかの実施形態において、ハンドル５３０４の大部分は、低プロファイルを提供するために、システム５３００の頂面と面一にすることができる。いくつかの実施形態において、マルチポジションスイッチ５３０６は、システム５３００の外面と面一である、回転ダイヤルを含むことができる。回転ダイヤルは、ユーザが、組織処理手順の工程を通して歩いて、工程ごとの対応する接続を開閉することができる。いくつかの実施形態において、システム５３００は、組織処理中に、ユーザがシステム５２００をより良好に安定させることを可能にする、把持領域５３２０を含むことができる。
【０２４０】
図５４Ａ〜図５４Ｅは、本開示の様々な実施形態に従う、組織処置システム５４００の図を例示する。いくつかの実施形態において、組織処置システムは、フリップアウトハンドル５４０４を含むことができる。フリップアウトハンドル５４０４は、第１の位置にフリップして、混合ブレードを移動させるためにユーザによって把持可能な回転ハンドルを提供することができる。フリップアウトハンドル５４０４は、使用中でないときには、システム５４００の頂面上の溝５４０５内の第２の位置にフリップインして、静置することができる。フリップイン位置において、フリップアウトハンドル５４０４は、更なる処理工程中にぶつからない場所に収納される。加えて、フリップアウトハンドル５４０４を固定することで、かかる運動が望ましくない手順の時点での混合ブレードの偶然の操作を防止する。
【０２４１】
本発明を、好ましい実施形態と併せて本明細書で説明してきたが、当業者は、添付の特許請求の範囲及びその任意の同等物に入ることを意図する、本明細書で説明されるシステム及び方法の変更、置換、又は同等物を達成することができる。
【図１】
2019526342.tif 000003
【図２】
2019526342.tif 000004
【図３】
2019526342.tif 000005
【図４】
2019526342.tif 000006
【図５】
2019526342.tif 000007
【図６】
2019526342.tif 000008
【図７】
2019526342.tif 000009
【図８】
2019526342.tif 000010
【図９Ａ】
2019526342.tif 000011
【図９Ｂ】
2019526342.tif 000012
【図９Ｃ】
2019526342.tif 000013
【図９Ｄ】
2019526342.tif 000014
【図１０Ａ】
2019526342.tif 000015
【図１０Ｂ】
2019526342.tif 000016
【図１１Ａ】
2019526342.tif 000017
【図１１Ｂ】
2019526342.tif 000018
【図１２Ａ】
2019526342.tif 000019
【図１２Ｂ】
2019526342.tif 000020
【図１３Ａ】
2019526342.tif 000021
【図１３Ｂ】
2019526342.tif 000022
【図１４Ａ】
2019526342.tif 000023
【図１４Ｂ】
2019526342.tif 000024
【図１５Ａ】
2019526342.tif 000025
【図１５Ｂ】
2019526342.tif 000026
【図１５Ｃ】
2019526342.tif 000027
【図１５Ｄ】
2019526342.tif 000028
【図１６】
2019526342.tif 000029
【図１７Ａ】
2019526342.tif 000030
【図１７Ｂ】
2019526342.tif 000031
【図１７Ｃ】
2019526342.tif 000032
【図１８Ａ】
2019526342.tif 000033
【図１８Ｂ】
2019526342.tif 000034
【図１８Ｃ】
2019526342.tif 000035
【図１９Ａ】
2019526342.tif 000036
【図１９Ｂ】
2019526342.tif 000037
【図１９Ｃ】
2019526342.tif 000038
【図１９Ｄ】
2019526342.tif 000039
【図１９Ｅ】
2019526342.tif 000040
【図２０Ａ】
2019526342.tif 000041
【図２０Ｂ】
2019526342.tif 000042
【図２０Ｃ】
2019526342.tif 000043
【図２０Ｄ】
2019526342.tif 000044
【図２１Ａ】
2019526342.tif 000045
【図２１Ｂ】
2019526342.tif 000046
【図２１Ｃ】
2019526342.tif 000047
【図２１Ｄ】
2019526342.tif 000048
【図２２Ａ】
2019526342.tif 000049
【図２２Ｂ】
2019526342.tif 000050
【図２３】
2019526342.tif 000051
【図２４Ａ】
2019526342.tif 000052
【図２４Ｂ】
2019526342.tif 000053
【図２５Ａ】
2019526342.tif 000054
【図２５Ｂ】
2019526342.tif 000055
【図２６Ａ】
2019526342.tif 000056
【図２６Ｂ】
2019526342.tif 000057
【図２７Ａ】
2019526342.tif 000058
【図２７Ｂ】
2019526342.tif 000059
【図２７Ｃ】
2019526342.tif 000060
【図２８Ａ】
2019526342.tif 000061
【図２８Ｂ】
2019526342.tif 000062
【図２９Ａ】
2019526342.tif 000063
【図２９Ｂ】
2019526342.tif 000064
【図２９Ｃ】
2019526342.tif 000065
【図２９Ｄ】
2019526342.tif 000066
【図３０Ａ】
2019526342.tif 000067
【図３０Ｂ】
2019526342.tif 000068
【図３１Ａ】
2019526342.tif 000069
【図３１Ｂ】
2019526342.tif 000070
【図３１Ｃ】
2019526342.tif 000071
【図３１Ｄ】
2019526342.tif 000072
【図３２】
2019526342.tif 000073
【図３３Ａ】
2019526342.tif 000074
【図３３Ｂ】
2019526342.tif 000075
【図３３Ｃ】
2019526342.tif 000076
【図３３Ｄ】
2019526342.tif 000077
【図３４】
2019526342.tif 000078
【図３５】
2019526342.tif 000079
【図３６】
2019526342.tif 000080
【図３７Ａ】
2019526342.tif 000081
【図３７Ｂ】
2019526342.tif 000082
【図３８】
2019526342.tif 000083
【図３９Ａ】
2019526342.tif 000084
【図３９Ｂ】
2019526342.tif 000085
【図４０】
2019526342.tif 000086
【図４１Ａ】
2019526342.tif 000087
【図４１Ｂ】
2019526342.tif 000088
【図４１Ｃ】
2019526342.tif 000089
【図４２Ａ】
2019526342.tif 000090
【図４２Ｂ】
2019526342.tif 000091
【図４３】
2019526342.tif 000092
【図４４Ａ】
2019526342.tif 000093
【図４４Ｂ】
2019526342.tif 000094
【図４５Ａ】
2019526342.tif 000095
【図４５Ｂ】
2019526342.tif 000096
【図４６Ａ】
2019526342.tif 000097
【図４６Ｂ】
2019526342.tif 000098
【図４７】
2019526342.tif 000099
【図４８Ａ】
2019526342.tif 000100
【図４８Ｂ】
2019526342.tif 000101
【図４９Ａ】
2019526342.tif 000102
【図４９Ｂ】
2019526342.tif 000103
【図４９Ｃ】
2019526342.tif 000104
【図５０】
2019526342.tif 000105
【図５１Ａ】
2019526342.tif 000106
【図５１Ｂ】
2019526342.tif 000107
【図５１Ｃ】
2019526342.tif 000108
【図５２Ａ】
2019526342.tif 000109
【図５２Ｂ】
2019526342.tif 000110
【図５２Ｃ】
2019526342.tif 000111
【図５３Ａ】
2019526342.tif 000112
【図５３Ｂ】
2019526342.tif 000113
【図５３Ｃ】
2019526342.tif 000114
【図５４Ａ】
2019526342.tif 000115
【図５４Ｂ】
2019526342.tif 000116
【図５４Ｃ】
2019526342.tif 000117
【図５４Ｄ】
2019526342.tif 000118
【図５４Ｅ】
2019526342.tif 000119
【国際調査報告】
2019526342.tif 000120
2019526342.tif 000121
2019526342.tif 000122
2019526342.tif 000123